(57)【特許請求の範囲】
【請求項１】
ワイヤレス通信の方法であって、
基地局によって、第１の無線アクセス技術（ＲＡＴ）を使用した第１の通信リンクを介してユーザ機器（ＵＥ）によって送信されるべき第１のデータフローの第１の断片量を決定することと、
前記基地局によって、第２のＲＡＴを使用した第２の通信リンクを介して前記ＵＥによって送信されるべき前記第１のデータフローの第２の断片量を決定することと、
前記第１のＲＡＴを使用する前記基地局によって、前記第１のＲＡＴを使用した前記第１の通信リンクを介して前記第１のデータフローの前記第１の断片量と、前記第２のＲＡＴを使用した前記第２の通信リンクを介して前記第１のデータフローの前記第２の断片量とを送信するように、前記ＵＥを構成するための制御情報を送信することと、
前記基地局によって、
データフローの割振りを禁止するための禁止タイマーが動作しているとき、前記第１のデータフローの前記決定された第１および第２の断片量を前記データフローの割振りに使用しないこと、または
前記データフローに関する断片量の割振りを変更する回数が、ある時間内にしきい値を超えるとき、前記第１のデータフローの前記決定された第１および第２の断片量を前記データフローの割振りに使用しないこと
のうちの少なくとも１つを行うことと
を備え、
前記第１のデータフローの前記第１の断片量または前記第１のデータフローの前記第２の断片量のうちの少なくとも１つが、最適化関数に基づいて決定され、
前記方法はさらに、前記最適化関数が評価された点の数が、許容される評価の最大数よりも大きいか否かに基づいて最適化手順を中止あるいは前記第１の断片量および前記第２の断片量に関してランク付けを行うことを備える、方法。
【請求項２】
前記最適化関数が、
データフローの通信リンクへの割当て、
前記第１のＲＡＴおよび前記第２のＲＡＴの各々のチャネル状態、
前記第１のＲＡＴおよび前記第２のＲＡＴの各々のトラフィック状態、
前記第１のＲＡＴおよび前記第２のＲＡＴのリソース、
前記第１の通信リンクおよび前記第２の通信リンクのチャネル負荷、または
前記第１の通信リンク上のデータレートおよびレイテンシと前記第２の通信リンク上のデータレートおよびレイテンシとの間の差
のうちの少なくとも１つに基づいている、請求項１に記載の方法。
【請求項３】
前記基地局によって、前記第１のＲＡＴを使用した前記第１の通信リンクを介して前記ＵＥに前記制御情報を送信すること、
をさらに備える、請求項１に記載の方法。
【請求項４】
前記制御情報が、１つまたは複数の無線リソース制御（ＲＲＣ）メッセージ、１つまたは複数の無線リンク制御（ＲＬＣ）メッセージ、または１つまたは複数のパケットデータ圧縮プロトコル（ＰＤＣＰ）ステータスメッセージのうちの少なくとも１つを備える、請求項１に記載の方法。
【請求項５】
前記基地局によって、前記第１のＲＡＴを使用した前記第１の通信リンクを介して前記ＵＥから前記第１のデータフローに関するフィードバック情報を受信すること、
をさらに備える、請求項１に記載の方法。
【請求項６】
前記フィードバック情報が、ＵＥ測定値と第２のＲＡＴ測定値とを含む少なくとも１つのフィードバックメッセージを備える、請求項５に記載の方法。
【請求項７】
前記第１のデータフローの前記第１および第２の断片量が、システム利用量の最適化に基づいている、請求項１に記載の方法。
【請求項８】
前記第１のデータフローがアップリンクトラフィックを備える、請求項１に記載の方法。
【請求項９】
チャネル品質がしきい値未満であるかどうかを決定することと、
前記チャネル品質が前記しきい値未満であるとき、前記決定された第１および第２の断片量を更新することと
をさらに備える、請求項１に記載の方法。
【請求項１０】
前記第１のデータフローの前記第１および第２の断片量の前記決定を周期的に評価することをさらに備える、請求項１に記載の方法。
【請求項１１】
前記第１のデータフローの前記第１および第２の断片量の前記決定を評価することは、
前記第１および第２の両通信リンク上でサービスされるベアラに関して前記第１のＲＡＴと前記第２のＲＡＴとの間の有効データレートおよびレイテンシの差を最適化することを備える、請求項１０に記載の方法。
【請求項１２】
前記第２の通信リンクのために最低の変調／コーディング方式（ＭＣＳ）が選択されることができないとき、前記第１の通信リンクを介した前記第１のデータフローの前記第１の断片量の前記決定は１であり、前記第２の通信リンクを介した前記第１のデータフローの前記第２の断片量の前記決定は０であり、前記１は、前記データフローをサービスすることを示し、前記０は、前記データフローをサービスしないことを示す、請求項１に記載の方法。
【請求項１３】
ワイヤレス通信のための基地局であって、
第１の無線アクセス技術（ＲＡＴ）を使用した第１の通信リンクを介してユーザ機器（ＵＥ）によって送信されるべき第１のデータフローの第１の断片量を決定するための手段と、
第２のＲＡＴを使用した第２の通信リンクを介して前記ＵＥによって送信されるべき前記第１のデータフローの第２の断片量を決定するための手段と、
前記第１のＲＡＴを使用して、前記第１のＲＡＴを使用した前記第１の通信リンクを介して前記第１のデータフローの前記第１の断片量と、前記第２のＲＡＴを使用した前記第２の通信リンクを介して前記第１のデータフローの前記第２の断片量とを送信するように、前記ＵＥを構成するための制御情報を送信するための手段と、
データフローの割振りを禁止するための禁止タイマーが動作しているとき、前記第１のデータフローの前記決定された第１および第２の断片量を前記データフローの割振りに使用しないこと、または
前記データフローに関する断片量の割振りを変更する回数が、ある時間内にしきい値を超えるとき、前記第１のデータフローの前記決定された第１および第２の断片量を前記データフローの割振りに使用しないこと
のうちの少なくとも１つを実行するための手段と
を備え、
前記第１のデータフローの前記第１の断片量または前記第１のデータフローの前記第２の断片量のうちの少なくとも１つが、最適化関数に基づいて決定され、
前記基地局はさらに、前記最適化関数が評価された点の数が許容される評価の最大数よりも大きいか否かに基づいて最適化手順を中止あるいは前記第１の断片量および前記第２の断片量に関してランク付けを行うための手段を備える、基地局。
【請求項１４】
前記第１のデータフローの前記第１の断片量または前記第１のデータフローの前記第２の断片量のうちの少なくとも１つが、
データフローの通信リンクへの割当て、
前記第１のＲＡＴおよび前記第２のＲＡＴの各々のチャネル状態、
前記第１のＲＡＴおよび前記第２のＲＡＴの各々のトラフィック状態、
前記第１のＲＡＴおよび前記第２のＲＡＴのリソース、
前記第１の通信リンクおよび前記第２の通信リンクのチャネル負荷、または
前記第１の通信リンク上のデータレートおよびレイテンシと前記第２の通信リンク上のデータレートおよびレイテンシとの間の差
のうちの少なくとも１つに基づいた最適化関数
に基づいて決定される、請求項１３に記載の基地局。
【請求項１５】
前記第１のＲＡＴを使用した前記第１の通信リンクを介して前記ＵＥに前記制御情報を送信するための手段、
をさらに備える、請求項１３に記載の基地局。
【請求項１６】
前記第１のＲＡＴを使用した前記第１の通信リンクを介して前記ＵＥから前記第１のデータフローに関するフィードバック情報を受信するための手段、
をさらに備える、請求項１３に記載の基地局。
【請求項１７】
チャネル品質がしきい値未満であるかどうかを決定するための手段と、
前記チャネル品質が前記しきい値未満であるとき、前記決定された第１および第２の断片量を更新するための手段と
をさらに備える、請求項１３に記載の基地局。
【請求項１８】
前記第１のデータフローの前記第１および第２の断片量の前記決定を周期的に評価するための手段をさらに備える、請求項１３に記載の基地局。
【請求項１９】
前記第２の通信リンクのために最低の変調／コーディング方式（ＭＣＳ）が選択されることができないとき、前記第１の通信リンクを介した前記第１のデータフローの前記第１の断片量の前記決定は１であり、前記第２の通信リンクを介した前記第１のデータフローの前記第２の断片量の前記決定は０であり、前記１は、前記データフローをサービスすることを示し、前記０は、前記データフローをサービスしないことを示す、請求項１３に記載の基地局。
【請求項２０】
ワイヤレス通信のための基地局であって、
メモリと、
前記メモリに結合された少なくとも１つのプロセッサと、
を備え、ここにおいて、前記少なくとも１つのプロセッサは、
第１の無線アクセス技術（ＲＡＴ）を使用した第１の通信リンクを介してユーザ機器（ＵＥ）によって送信されるべき第１のデータフローの第１の断片量を決定することと、
第２のＲＡＴを使用した第２の通信リンクを介して前記ＵＥによって送信されるべき前記第１のデータフローの第２の断片量を決定することと、
前記第１のＲＡＴを使用して、前記第１のＲＡＴを使用した前記第１の通信リンクを介して前記第１のデータフローの前記第１の断片量と、前記第２のＲＡＴを使用した前記第２の通信リンクを介して前記第１のデータフローの前記第２の断片量とを送信するように、前記ＵＥを構成するための制御情報を送信することと、
データフローの割振りを禁止するための禁止タイマーが動作しているとき、前記第１のデータフローの前記決定された第１および第２の断片量を前記データフローの割振りに使用しないこと、または
前記データフローに関する断片量の割振りを変更する回数が、ある時間内にしきい値を超えるとき、前記第１のデータフローの前記決定された第１および第２の断片量を前記データフローの割振りに使用しないこと
のうちの少なくとも１つを実行することと
を行うように構成され、
前記第１のデータフローの前記第１の断片量または前記第１のデータフローの前記第２の断片量のうちの少なくとも１つが、最適化関数に基づいて決定され、
前記少なくとも１つのプロセッサはさらに、
前記最適化関数が評価された点の数が許容される評価の最大数よりも大きいか否かに基づいて最適化手順を中止あるいは前記第１の断片量および前記第２の断片量に関してランク付けを行う、ように構成される、基地局。
【請求項２１】
その上に命令を記憶した非一時的なコンピュータ可読記録媒体であって、前記命令は、実行されたとき、少なくとも１つの基地局に、
第１の無線アクセス技術（ＲＡＴ）を使用した第１の通信リンクを介してユーザ機器（ＵＥ）によって送信されるべき第１のデータフローの第１の断片量を決定することと、
第２のＲＡＴを使用した第２の通信リンクを介して前記ＵＥによって送信されるべき前記第１のデータフローの第２の断片量を決定することと、
前記第１のＲＡＴを使用して、前記第１のＲＡＴを使用した前記第１の通信リンクを介して前記第１のデータフローの前記第１の断片量と、前記第２のＲＡＴを使用した前記第２の通信リンクを介して前記第１のデータフローの前記第２の断片量とを送信するように、前記ＵＥを構成するための制御情報を送信することと、
データフローの割振りを禁止するための禁止タイマーが動作しているとき、前記第１のデータフローの前記決定された第１および第２の断片量を前記データフローの割振りに使用しないこと、または
前記データフローに関する断片量の割振りを変更する回数が、ある時間内にしきい値を超えるとき、前記第１のデータフローの前記決定された第１および第２の断片量を前記データフローの割振りに使用しないこと
のうちの少なくとも１つを実行することと
を行わせ、
前記第１のデータフローの前記第１の断片量または前記第１のデータフローの前記第２の断片量のうちの少なくとも１つが、最適化関数に基づいて決定され、
前記命令はさらに、実行されたとき、前記少なくとも１つの基地局に、
前記最適化関数が評価された点の数が許容される評価の最大数よりも大きいか否かに基づいて最適化手順を中止あるいは前記第１の断片量および前記第２の断片量に関してランク付けを行うこと、を行わせる、非一時的なコンピュータ可読記録媒体。
【請求項２２】
ワイヤレス通信の方法であって、
基地局によって、第１の無線アクセス技術（ＲＡＴ）を使用した第１の通信リンクを介してユーザ機器（ＵＥ）にサービスされるべき第１のデータフローの第１の断片量を決定することと、
前記基地局によって、第２のＲＡＴを使用した第２の通信リンクを介して前記ＵＥにサービスされるべき前記第１のデータフローの第２の断片量を決定することと、
前記基地局によって、前記第１のＲＡＴを使用した前記第１の通信リンクを介して前記ＵＥに前記第１のデータフローの前記第１の断片量をサービスすることと、
データフローの割振りを禁止するための禁止タイマーが動作しているとき、前記第１のデータフローの前記決定された第１および第２の断片量を前記データフローの割振りに使用しないこと、または
前記データフローに関する断片量の割振りを変更する回数が、ある時間内にしきい値を超えるとき、前記第１のデータフローの前記決定された第１および第２の断片量を前記データフローの割振りに使用しないこと
のうちの少なくとも１つを、基地局によって、実行することと
を備え、
前記第１のデータフローの前記第１の断片量または前記第１のデータフローの前記第２の断片量のうちの少なくとも１つが、最適化関数に基づいて決定され、
前記方法はさらに、前記最適化関数が評価された点の数が、許容される評価の最大数よりも大きいか否かに基づいて最適化手順を中止あるいは前記第１の断片量および前記第２の断片量に関してランク付けを行うことを備える、方法。
【請求項２３】
前記第２の通信リンクのために最低の変調／コーディング方式（ＭＣＳ）が選択されることができないとき、前記第１のデータフローの前記第１の断片量の前記決定は１であり、前記第１のデータフローの前記第２の断片量の前記決定は０である、請求項２２に記載の方法。
【請求項２４】
前記第１のデータフローの前記第１および第２の断片量の前記決定を周期的に評価することをさらに備える、請求項２２に記載の方法。
【請求項２５】
ワイヤレス通信のための基地局であって、
第１の無線アクセス技術（ＲＡＴ）を使用した第１の通信リンクを介してユーザ機器（ＵＥ）にサービスされるべき第１のデータフローの第１の断片量を決定するための手段と、
第２のＲＡＴを使用した第２の通信リンクを介して前記ＵＥにサービスされるべき前記第１のデータフローの第２の断片量を決定するための手段と、
前記第１のＲＡＴを使用した前記第１の通信リンクを介して前記ＵＥに前記第１のデータフローの前記第１の断片量をサービスするための手段と、
データフローの割振りを禁止するための禁止タイマーが動作しているとき、前記第１のデータフローの前記決定された第１および第２の断片量を前記データフローの割振りに使用しないこと、または
前記データフローに関する断片量の割振りを変更する回数が、ある時間内にしきい値を超えるとき、前記第１のデータフローの前記決定された第１および第２の断片量を前記データフローの割振りに使用しないこと
のうちの少なくとも１つを実行するための手段と
を備え、
前記第１のデータフローの前記第１の断片量または前記第１のデータフローの前記第２の断片量のうちの少なくとも１つが、最適化関数に基づいて決定され、
前記基地局はさらに、前記最適化関数が評価された点の数が、許容される評価の最大数よりも大きいか否かに基づいて最適化手順を中止あるいは前記第１の断片量および前記第２の断片量に関してランク付けを行うための手段を備える、基地局。
【請求項２６】
前記第２の通信リンクのために最低の変調／コーディング方式（ＭＣＳ）が選択されることができないとき、前記第１のデータフローの前記第１の断片量の前記決定は１であり、前記第１のデータフローの前記第２の断片量の前記決定は０である、請求項２５に記載の基地局。
【請求項２７】
前記第１のデータフローの前記第１および第２の断片量の前記決定を周期的に評価するための手段をさらに備える、請求項２５に記載の基地局。
【請求項２８】
ワイヤレス通信のための基地局であって、
メモリと、
前記メモリに結合された少なくとも１つのプロセッサと、
を備え、ここにおいて、前記少なくとも１つのプロセッサは、
第１の無線アクセス技術（ＲＡＴ）を使用した第１の通信リンクを介してユーザ機器（ＵＥ）にサービスされるべき第１のデータフローの第１の断片量を決定することと、
第２のＲＡＴを使用した第２の通信リンクを介して前記ＵＥにサービスされるべき前記第１のデータフローの第２の断片量を決定することと、
前記第１のＲＡＴを使用した前記第１の通信リンクを介して前記ＵＥに前記第１のデータフローの前記第１の断片量をサービスすることと、
データフローの割振りを禁止するための禁止タイマーが動作しているとき、前記第１のデータフローの前記決定された第１および第２の断片量を前記データフローの割振りに使用しないこと、または
前記データフローに関する断片量の割振りを変更する回数が、ある時間内にしきい値を超えるとき、前記第１のデータフローの前記決定された第１および第２の断片量を前記データフローの割振りに使用しないこと
のうちの少なくとも１つを実行することと
を行うように構成され、
前記第１のデータフローの前記第１の断片量または前記第１のデータフローの前記第２の断片量のうちの少なくとも１つが、最適化関数に基づいて決定され、
前記少なくとも１つのプロセッサはさらに、前記最適化関数が評価された点の数が、許容される評価の最大数よりも大きいか否かに基づいて最適化手順を中止あるいは前記第１の断片量および前記第２の断片量に関してランク付けを行うように構成される、基地局。
【請求項２９】
その上に命令を記憶した非一時的なコンピュータ可読記録媒体であって、前記命令は、実行されたとき、少なくとも１つの基地局に、
第１の無線アクセス技術（ＲＡＴ）を使用した第１の通信リンクを介してユーザ機器（ＵＥ）にサービスされるべき第１のデータフローの第１の断片量を決定することと、
第２のＲＡＴを使用した第２の通信リンクを介して前記ＵＥにサービスされるべき前記第１のデータフローの第２の断片量を決定することと、
前記第１のＲＡＴを使用した前記第１の通信リンクを介して前記ＵＥに前記第１のデータフローの前記第１の断片量をサービスすることと、
データフローの割振りを禁止するための禁止タイマーが動作しているとき、前記第１のデータフローの前記決定された第１および第２の断片量を前記データフローの割振りに使用しないこと、または
前記データフローに関する断片量の割振りを変更する回数が、ある時間内にしきい値を超えるとき、前記第１のデータフローの前記決定された第１および第２の断片量を前記データフローの割振りに使用しないこと
のうちの少なくとも１つを実行することと
を行わせ、
前記第１のデータフローの前記第１の断片量または前記第１のデータフローの前記第２の断片量のうちの少なくとも１つが、最適化関数に基づいて決定され、
前記命令はさらに、実行されたとき、前記少なくとも１つの基地局に、
前記最適化関数が評価された点の数が許容される評価の最大数よりも大きいか否かに基づいて最適化手順を中止あるいは前記第１の断片量および前記第２の断片量に関してランク付けを行うこと、を行わせる、非一時的なコンピュータ可読記録媒体。
【発明の詳細な説明】
【技術分野】
【０００１】
関連出願の相互参照
[0001]本出願は、全体が参照により本明細書に明確に組み込まれる、２０１３年１２月３１日に出願された「TECHNIQUES FOR DYNAMICALLY SPLITTING BEARERS BETWEEN VARIOUS RADIO ACCESS TECHNOLOGIES(RATS）」と題する米国仮出願第６１／９２２，７３８号、および２０１４年１２月１９日に出願された「TECHNIQUES FOR DYNAMICALLY SPLITTING BEARERS BETWEEN VARIOUS RADIO ACCESS TECHNOLOGIES(RATS)」と題する米国特許出願第１４／５７８，２３４号の利益を主張する。
【０００２】
[0002]本開示は、一般に通信システムに関し、より詳細には、様々な無線アクセス技術（ＲＡＴ：radio access technology）間のベアラを動的に分割するための技法に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザと通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されてきた。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]様々な無線アクセス技術（ＲＡＴ）間でベアラを動的に分割するための技法について本明細書で説明する。本開示の一態様では、方法、コンピュータプログラム製品、および装置が提供される。本装置は、第１のＲＡＴを使用して第１の通信リンクを介してユーザ機器（ＵＥ）にサービスされるべき第１のデータフローの第１の断片量を決定し、第２のＲＡＴを使用して第２の通信リンクを介してＵＥにサービスされるべき第１のデータフローの第２の断片量を決定し、第１の通信リンクを使用してＵＥに第１のデータフローの第１の断片量をサービスする。
【０００６】
[0006]一態様では、第１のデータフローの第１の断片量または第１のデータフローの第２の断片量のうちの少なくとも１つは、構成または最適化関数に基づいて決定される。一態様では、最適化関数は、データフローの通信リンクへの割当て、第１のＲＡＴおよび第２のＲＡＴの各々のチャネル状態、第１のＲＡＴおよび第２のＲＡＴの各々のトラフィック状態、第１のＲＡＴおよび第２のＲＡＴのリソース、第１の通信リンクおよび第２の通信リンクのチャネル負荷、または第１の通信リンク上のデータレートおよびレイテンシと第２の通信リンク上のデータレートおよびレイテンシとの間の差のうちの少なくとも１つに基づいている。
【０００７】
[0007]一態様では、本装置は、第１のＲＡＴを使用して第１の通信リンクを介してＵＥとの間で第１のデータフローに関する制御情報を送信および受信するか、または、第２のＲＡＴを使用して第２の通信リンクを介してＵＥとの間で第１のデータフローに関する制御情報を送信および受信する。一態様では、制御情報は、第１および第２の通信リンクの各々の上での断片送信の構成のための無線リソース制御（ＲＲＣ：radio resource control）メッセージ、無線リンク制御（ＲＬＣ：radio link control）メッセージ、およびパケットデータ圧縮プロトコル（ＰＤＣＰ）ステータスメッセージのうちの少なくとも１つを含む。
【０００８】
[0008]一態様では、本装置は、第１のＲＡＴを使用して第１の通信リンクを介してＵＥから第１のデータフローに関するフィードバック情報を受信するか、または第２のＲＡＴを使用して第２の通信リンクを介してＵＥから第１のデータフローに関するフィードバック情報を受信するか、または第２のＲＡＴから第１のデータフローに関するフィードバック情報を受信する。一態様では、フィードバック情報は、ＵＥ測定値と第２のＲＡＴ測定値とを含む少なくとも１つのフィードバックメッセージを含む。一態様では、第１のデータフローの第１および第２の断片量は、ベアラ間の比例公平性を使用し得る、システム利用量の最適化に基づいている。
【０００９】
[0009]一態様では、本装置は、第１のＲＡＴを使用して第１の通信リンクを介してＵＥによって送信されるべき第２のデータフローの第３の断片量を決定し、第２のＲＡＴを使用して第２の通信リンクを介してＵＥによって送信されるべき第２のデータフローの第４の断片量を決定し、第１の通信リンクを介してＵＥから第２のデータフローの第３の断片量を受信する。一態様では、第１のデータフローはダウンリンクトラフィックを含み、第２のデータフローはアップリンクトラフィックを含む。
【００１０】
[0010]一態様では、本装置は、チャネル品質がしきい値未満であるかどうかを決定し、チャネル品質がしきい値未満であるとき、決定された第１、第２、第３、および第４の断片量を更新する。
【００１１】
[0011]一態様では、本装置は、第１のデータフローの第１および第２の断片量の決定を周期的に評価する。一態様では、本装置は、第２のデータフローの第３および第４の断片量の決定を周期的に評価する。
【００１２】
[0012]一態様では、第１のデータフローの第１および第２の断片量と第２のデータフローの第３および第４の断片量との決定の評価は、第１および第２の両通信リンク上でサービスされるベアラに関する第１のＲＡＴと第２のＲＡＴとの間の有効データレートおよびレイテンシの差を最適化すること、禁止タイマーが動作しているときに第１のデータフローの決定された第１および第２の断片量もしくは第２のデータフローの決定された第３および第４の断片量の適用を回避すること、または、データフローの断片的な割振り変更の数がある時間内にしきい値を超えるときに第１のデータフローの決定された第１および第２の断片量の適用を回避し第２のデータフローの決定された第３および第４の断片量の適用を回避することのうちの少なくとも１つを含む。
【００１３】
[0013]一態様では、本装置は、ＵＥにメッセージを送信し、ここにおいて、メッセージは、第１のＲＡＴを使用して第１の通信リンクを介して第２のデータフローの第３の断片量を送信し、第２のＲＡＴを使用して第２の通信リンクを介して第２のデータフローの第４の断片量を送信するようにＵＥを構成する。
【００１４】
[0014]一態様では、本装置は、第１および第２の通信リンクのために維持されるトークンバケット機構に基づいて、または分割確率に基づいて、第１のデータフローの決定された第１および第２の断片量と、第２のデータフローの決定された第３および第４の断片量とを実装する。
【００１５】
[0015]一態様では、第１のデータフローの第１の断片量の決定または第１のデータフローの第２の断片量を決定することは、ＵＥからの報告に少なくとも部分的に基づいている。一態様では、第１のデータフローの第１の断片量の決定または第１のデータフローの第２の断片量の決定は、ある時間期間の間、またはＵＥからの報告の受信に少なくとも部分的に基づいて動的に実行される。一態様では、第２の通信リンクのチャネル品質がしきい値未満であるとき、または第２の通信リンクのために最低の変調／コーディング方式（ＭＣＳ）を選択することができないとき、第１のデータフローの第１の断片量の決定は１であり、第１のデータフローの第２の断片量の決定は０である。
【００１６】
[0016]本開示の一態様では、ワイヤレス通信のための装置は、第１の無線アクセス技術（ＲＡＴ）を使用して第１の通信リンクを介してＵＥにサービスされるべき第１のデータフローの第１の断片量を決定するための手段と、第２のＲＡＴを使用して第２の通信リンクを介してＵＥにサービスされるべき第１のデータフローの第２の断片量を決定するための手段と、第１の通信リンクを使用してＵＥに第１のデータフローの第１の断片量をサービスするための手段とを含む。
【００１７】
[0017]一態様では、第１のデータフローの第１の断片量または第１のデータフローの第２の断片量のうちの少なくとも１つは、構成または最適化関数に基づいて決定される。
【００１８】
[0018]一態様では、最適化関数は、データフローの通信リンクへの割当て、第１のＲＡＴおよび第２のＲＡＴの各々のチャネル状態、第１のＲＡＴおよび第２のＲＡＴの各々のトラフィック状態、第１のＲＡＴおよび第２のＲＡＴのリソース、第１の通信リンクおよび第２の通信リンクのチャネル負荷、または第１の通信リンク上のデータレートおよびレイテンシと第２の通信リンク上のデータレートおよびレイテンシとの間の差のうちの少なくとも１つに基づいている。
【００１９】
[0019]一態様では、本装置は、第１のＲＡＴを使用して第１の通信リンクを介してＵＥとの間で第１のデータフローに関する制御情報を送信および受信するための手段、または、第２のＲＡＴを使用して第２の通信リンクを介してＵＥとの間で第１のデータフローに関する制御情報を送信および受信するための手段をさらに含む。一態様では、制御情報は、第１および第２の通信リンクの各々の上での断片送信の構成のためのＲＲＣメッセージ、ＲＬＣメッセージ、およびＰＤＣＰステータスメッセージのうちの少なくとも１つを含む。
【００２０】
[0020]一態様では、本装置は、第１のＲＡＴを使用して第１の通信リンクを介してＵＥから第１のデータフローに関するフィードバック情報を受信するための手段、または第２のＲＡＴを使用して第２の通信リンクを介してＵＥから第１のデータフローに関するフィードバック情報を受信するための手段、または第２のＲＡＴから第１のデータフローに関するフィードバック情報を受信するための手段をさらに含む。一態様では、フィードバック情報は、ＵＥ測定値と第２のＲＡＴ測定値とを含む少なくとも１つのフィードバックメッセージを含む。
【００２１】
[0021]一態様では、第１のデータフローの第１および第２の断片量は、ベアラ間の比例公平性を使用し得る、システム利用量の最適化に基づいている。
【００２２】
[0022]一態様では、本装置は、第１のＲＡＴを使用して第１の通信リンクを介してＵＥによって送信されるべき第２のデータフローの第３の断片量を決定するための手段、第２のＲＡＴを使用して第２の通信リンクを介してＵＥによって送信されるべき第２のデータフローの第４の断片量を決定するための手段、第１の通信リンクを介してＵＥから第２のデータフローの第３の断片量を受信するための手段をさらに含む。一態様では、第１のデータフローはダウンリンクトラフィックを含み、第２のデータフローはアップリンクトラフィックを含む。
【００２３】
[0023]一態様では、本装置は、チャネル品質がしきい値未満であるかどうかを決定するための手段と、チャネル品質がしきい値未満であるとき、決定された第１、第２、第３、および第４の断片量を更新するための手段とをさらに含む。
【００２４】
[0024]一態様では、本装置は、第１のデータフローの第１および第２の断片量の決定を周期的に評価するための手段をさらに含む。
【００２５】
[0025]一態様では、本装置は、第２のデータフローの第３および第４の断片量の決定を周期的に評価するための手段をさらに含む。
一態様では、第１のデータフローの第１および第２の断片量と第２のデータフローの第３および第４の断片量との決定を周期的に評価するための手段は、第１および第２の両通信リンク上でサービスされるベアラに関する第１のＲＡＴと第２のＲＡＴとの間の有効データレートおよびレイテンシの差を最適化すること、禁止タイマーが動作しているときに第１のデータフローの決定された第１および第２の断片量もしくは第２のデータフローの決定された第３および第４の断片量の適用を回避すること、または、データフローの断片的な割振り変更の数がある時間内にしきい値を超えるときに第１のデータフローの決定された第１および第２の断片量の適用を回避し第２のデータフローの決定された第３および第４の断片量の適用を回避することのうちの少なくとも１つを行うように構成される。
【００２６】
[0026]一態様では、本装置は、ＵＥにメッセージを送信するための手段をさらに含み、ここにおいて、メッセージは、第１のＲＡＴを使用して第１の通信リンクを介して第２のデータフローの第３の断片量を送信し、第２のＲＡＴを使用して第２の通信リンクを介して第２のデータフローの第４の断片量を送信するようにＵＥを構成する。
【００２７】
[0027]一態様では、本装置は、第１および第２の通信リンクのために維持されるトークンバケット機構に基づいて、または分割確率に基づいて、第１のデータフローの決定された第１および第２の断片量と、第２のデータフローの決定された第３および第４の断片量とを実装するための手段をさらに含む。
【００２８】
[0028]一態様では、第１のデータフローの第１の断片量を決定するための手段または第１のデータフローの第２の断片量を決定するための手段は、ＵＥからの報告に少なくとも部分的に基づいて決定を実行するように構成される。
【００２９】
[0029]一態様では、第１のデータフローの第１の断片量を決定するための手段または第１のデータフローの第２の断片量を決定するための手段は、ある時間期間の間、またはＵＥからの報告の受信に少なくとも部分的に基づいて決定を動的に実行するように構成される。
【００３０】
[0030]一態様では、第２の通信リンクのチャネル品質がしきい値未満であるとき、または第２の通信リンクのために最低のＭＣＳを選択することができないとき、第１のデータフローの第１の断片量の決定は１であり、第１のデータフローの第２の断片量の決定は０である。
【００３１】
[0031]本開示の一態様では、ワイヤレス通信のための装置は、メモリと、第１のＲＡＴを使用して第１の通信リンクを介してＵＥにサービスされるべき第１のデータフローの第１の断片量を決定し、第２のＲＡＴを使用して第２の通信リンクを介してＵＥにサービスされるべき第１のデータフローの第２の断片量を決定し、第１の通信リンクを使用してＵＥに第１のデータフローの第１の断片量をサービスするように構成されメモリに結合された少なくとも１つのプロセッサとを含む。
【００３２】
[0032]本開示の一態様では、コンピュータプログラム製品は、第１のＲＡＴを使用して第１の通信リンクを介してＵＥにサービスされるべき第１のデータフローの第１の断片量を決定し、第２のＲＡＴを使用して第２の通信リンクを介してＵＥにサービスされるべき第１のデータフローの第２の断片量を決定し、第１の通信リンクを使用してＵＥに第１のデータフローの第１の断片量をサービスするためのコードを含むコンピュータ可読媒体を含む。
【００３３】
[0033]本開示の様々な態様および特徴について、添付の図面において示されるように、それの様々な例を参照しながら以下でさらに詳細に説明する。本開示について様々な例を参照しながら以下で説明するが、本開示はそれに制限されないことを理解されたい。本明細書の教示へのアクセスを有する当業者は、追加の実装形態、変更形態、および例、ならびに本明細書で説明する本開示の範囲内に入り、それに関して本開示が著しく有用であり得る他の使用分野を認識されよう。
【図面の簡単な説明】
【００３４】
【図１】[0034]本開示の様々な態様による、ネットワークアーキテクチャの一例を示す図。
【図２】[0035]本開示の様々な態様による、アクセスネットワークの一例を示す図。
【図３】[0036]本開示の様々な態様による、ＬＴＥ内のＤＬフレーム構造の一例を示す図。
【図４】[0037]本開示の様々な態様による、ＬＴＥ内のＵＬフレーム構造の一例を示す図。
【図５】[0038]本開示の様々な態様による、ユーザプレーンおよび制御プレーンのための無線プロトコルアーキテクチャの一例を示す図。
【図６】[0039]本開示の様々な態様による、アクセスネットワーク内の発展型ノードＢおよびユーザ機器の一例を示す図。
【図７Ａ】[0040]本開示の様々な態様による、ＵＥとＰＤＮとの間のデータ経路の一例を示す、ワイヤレス通信システムの図。
【図７Ｂ】[0041]本開示の様々な態様による、ＵＥとＰＤＮとの間のデータ経路の一例を示す、ワイヤレス通信システムの図。
【図８】[0042]本開示の様々な態様による、ワイヤレス通信の方法のフローチャート。
【図９】[0043]本開示の様々な態様による、ワイヤレス通信の方法のフローチャート。
【図１０Ａ】[0044]本開示の様々な態様による、ワイヤレス通信の方法のフローチャート。
【図１０Ｂ】本開示の様々な態様による、ワイヤレス通信の方法のフローチャート。
【図１１】[0045]本開示の様々な態様による、例示的な装置内の様々なモジュール／手段／構成要素間のデータフローを示す概念データフロー図。
【図１２】[0046]本開示の様々な態様による、処理システムを採用する装置のためのハードウェア実装形態の一例を示す図。
【発明を実施するための形態】
【００３５】
[0047]添付の図面とともに以下に記載する詳細な説明は、様々な構成の説明するものであり、本明細書で説明する概念が実施され得る唯一の構成を表すものではない。詳細な説明は、様々な概念の完全な理解をもたらす目的で、具体的な詳細を含んでいる。しかしながら、これらの概念がこれらの具体的な詳細なしに実施され得ることは、当業者には明らかであろう。いくつかの事例では、よく知られている構造および構成要素は、そのような概念を不明瞭にすることを避けるために、ブロック図の形態で示されている。
【００３６】
[0048]ここで、様々な装置および方法を参照しながら電気通信システムのいくつかの態様が提示される。これらの装置および方法は、（「要素」と総称される）様々なブロック、モジュール、構成要素、回路、ステップ、プロセス、アルゴリズムなどによって以下の発明を実施するための形態において説明され、添付の図面に示される。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００３７】
[0049]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム内の１つまたは複数のプロセッサがソフトウェアを実行し得る。ソフトウェアは、ソフトウェア、ファームウェア、ミドルウェア、マイクロコード、ハードウェア記述言語、またはその他の名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００３８】
[0050]したがって、１つまたは複数の例示的な実施形態では、説明される機能は、ハードウェア、ソフトウェア、ファームウェア、またはそれらの任意の組合せに実装され得る。機能は、ソフトウェアに実装される場合、コンピュータ可読媒体上に記憶されるか、あるいはコンピュータ可読媒体上に１つもしくは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００３９】
[0051]図１は、本開示の様々な態様による、ＬＴＥネットワークアーキテクチャ１００を示す図である。ＬＴＥネットワークアーキテクチャ１００は、発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳ１００は他のアクセスネットワークと相互接続することができるが、簡単のために、それらのエンティティ／インターフェースは図示していない。図示するように、ＥＰＳ１００はパケット交換サービスを提供するが、当業者なら容易に諒解するように、本開示全体にわたって提示する様々な概念は、回線交換サービスを提供するネットワークに拡張され得る。
【００４０】
[0052]Ｅ−ＵＴＲＡＮ１０４は、発展型ノードＢ（ｅＮＢ：evolved Node B）１０６と他のｅＮＢ１０８とを含み、マルチキャスト協調エンティティ（ＭＣＥ：Multicast Coordination Entity）１２８を含むことができる。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調／コーディング方式（ＭＣＳ））を決定する。ＭＣＥ１２８は、別個のエンティティ、またはｅＮＢ１０６の一部であり得る。ｅＮＢ１０６は、基地局、ノードＢ、アクセスポイント、トランシーバ基地局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲームコンソール、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００４１】
[0053]ｅＮＢ１０６は、ＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービス用ゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２は、ベアラおよび接続管理を行う。すべてのユーザＩＰパケットはサービス用ゲートウェイ１１６を通して転送され、サービス用ゲートウェイ１１６自体はＰＤＮゲートウェイ１１８に接続される。ＰＤＮゲートウェイ１１８は、ＵＥのＩＰアドレス割振りと他の機能とを提供する。ＰＤＮゲートウェイ１１８およびＢＭ−ＳＣ１２６は、ＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し開始するために使用され得、ＭＢＭＳ送信をスケジュールし配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００４２】
[0054]図２は、本開示の様々な態様による、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２内のすべてのＵＥ２０６にＥＰＣ１１０へのアクセスポイントを与えるように構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービス用ゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用され得る。
【００４３】
[0055]アクセスネットワーク２００によって採用される変調および多元接続方式は、展開されている特定の電気通信規格に応じて異なり得る。ＬＴＥ適用例では、周波数分割複信（ＦＤＤ：frequency division duplex）と時分割複信（ＴＤＤ：time division duplex）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。また、これらの概念は、広帯域ＣＤＭＡ（Ｗ−ＣＤＭＡ（登録商標））とＴＤ−ＳＣＤＭＡなどのＣＤＭＡの他の変形形態とを採用するユニバーサル地上波無線アクセス（ＵＴＲＡ）、ＴＤＭＡを採用するモバイル通信用グローバルシステム（ＧＳＭ（登録商標））、ならびに、ＯＦＤＭＡを採用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭにも拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００４４】
[0056]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、異なるデータストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００４５】
[0057]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通じた送信のために、データを空間的にプリコーディングすることによって達成され得る。セルのエッジにおいて良好なカバレージを実現するために、送信ダイバーシティと組み合わせてシングルストリームビームフォーミング送信が使用され得る。
【００４６】
[0058]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアにわたってデータを変調するスペクトル拡散技法である。サブキャリアは、正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００４７】
[0059]図３は、本開示の様々な態様による、ＬＴＥ内のＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用される場合があり、各タイムスロットはリソースブロックを含む。リソースグリッドは、複数のリソース要素に分割される。ＬＴＥでは、ノーマルサイクリックプレフィックスの場合、リソースブロックは、合計８４個のリソース要素について、周波数領域中に１２個の連続するサブキャリアを含み、時間領域中に７個の連続するＯＦＤＭシンボルを含む。拡張サイクリックプレフィックスの場合、リソースブロックは、合計７２個のリソース要素について、周波数領域中に１２個の連続するサブキャリアを含み、時間領域中に６個の連続するＯＦＤＭシンボルを含む。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は、変調方式に依存する。したがって、ＵＥが受信するリソースブロックが多いほど、また変調方式が高いほど、ＵＥのデータレートは高くなる。
【００４８】
[0060]図４は、本開示の様々な態様による、ＬＴＥ内のＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の連続サブキャリアのすべてを割り当てられることを可能にし得る、連続サブキャリアを含むデータセクションを生じる。
【００４９】
[0061]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００５０】
[0062]初期システムアクセスを実行し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数は、ネットワークによって指定される。すなわち、ランダムアクセスプリアンブルの送信は、ある時間リソースおよび周波数リソースに制限される。ＰＲＡＣＨに関して、周波数ホッピングはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みのみを行うことができる。
【００５１】
[0063]図５は、本開示の様々な態様による、ＬＴＥ内のユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００５２】
[0064]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、遠端ＵＥ、サーバなど）において終端されるアプリケーションレイヤとを含めて、Ｌ２レイヤ５０８の上にいくつかの上位レイヤを有し得る。
【００５３】
[0065]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥのためのｅＮＢ間のハンドオーバサポートとをもたらす。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補償するためのデータパケットの並べ替えとを行う。ＭＡＣサブレイヤ５１０は、論理チャネルとトランスポートチャネルとの間の多重化を行う。ＭＡＣサブレイヤ５１０は、１つのセルの中の様々な無線リソース（たとえば、リソースブロック）をＵＥの間で割り振ることも担当する。ＭＡＣサブレイヤ５１０は、ＨＡＲＱ演算も担当する。
【００５４】
[0066]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンは、レイヤ３（Ｌ３レイヤ）中に無線リソース制御（ＲＲＣ）サブレイヤ５１６も含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００５５】
[0067]図６は、本開示の様々な態様による、アクセスネットワーク内のＵＥ６５０と通信中のｅＮＢ６１０のブロック図である。ＤＬにおいて、コアネットワークからの上位レイヤパケットがコントローラ／プロセッサ６７５に与えられる。コントローラ／プロセッサ６７５は、Ｌ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づいたＵＥ６５０への無線リソース割振りとを行う。コントローラ／プロセッサ６７５はまた、ＨＡＲＱ演算と、紛失パケットの再送信と、ＵＥ６５０へのシグナリングとを担当する。
【００５６】
[0068]送信（ＴＸ）プロセッサ６１６は、Ｌ１レイヤ（すなわち、物理レイヤ）のための様々な信号処理機能を実装する。信号処理機能は、ＵＥ６５０における順方向誤り訂正（ＦＥＣ）を容易にするためのコーディングおよびインターリービングと、様々な変調方式（たとえば、２相シフトキーイング（ＢＰＳＫ）、４相シフトキーイング（ＱＰＳＫ）、Ｍ相シフトキーイング（Ｍ−ＰＳＫ）、多値直交振幅変調（Ｍ−ＱＡＭ））に基づく信号コンスタレーションへのマッピングとを含む。コーディングおよび変調されたシンボルは、次いで、並列ストリームに分割される。各ストリームは、その後、ＯＦＤＭサブキャリアにマッピングされ、時間領域および／または周波数領域において基準信号（たとえば、パイロット）と多重化され、その後、時間領域ＯＦＤＭシンボルストリームを搬送する物理チャネルを生成するために、逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００５７】
[0069]ＵＥ６５０において、各受信機６５４ＲＸは、そのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実施する。ＲＸプロセッサ６５６は、ＵＥ６５０に宛てられた空間ストリームを復元するために、情報に対して空間処理を実行し得る。複数の空間ストリームがＵＥ６５０に宛てられた場合、それらの空間ストリームはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号の各サブキャリアごとに別個のＯＦＤＭシンボルストリームを備える。各サブキャリア上のシンボルおよび基準信号は、ｅＮＢ６１０によって送信される、最も可能性が高い信号コンスタレーションポイントを決定することによって復元され、復調される。これらの軟決定は、チャネル推定器６５８によって計算されるチャネル推定値に基づき得る。軟決定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００５８】
[0070]コントローラ／プロセッサ６５９は、Ｌ２レイヤを実装する。コントローラ／プロセッサは、プログラムコードとデータとを記憶するメモリ６６０に関連付けられ得る。メモリ６６０は、コンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表すデータシンク６６２に与えられる。様々な制御信号が、Ｌ３処理のためにデータシンク６６２に与えられることもある。コントローラ／プロセッサ６５９は、ＨＡＲＱ演算をサポートするために肯定応答（ＡＣＫ）および／または否定応答（ＮＡＣＫ）プロトコルを使用して誤り検出も担当する。
【００５９】
[0071]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ演算と、紛失パケットの再送信と、ｅＮＢ６１０へのシグナリングとを担当する。
【００６０】
[0072]ｅＮＢ６１０によって送信される基準信号またはフィードバックからの、チャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００６１】
[0073]ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上に変調されている情報を復元し、ＲＸプロセッサ６７０に情報を提供する。ＲＸプロセッサ６７０は、Ｌ１レイヤを実装し得る。
【００６２】
[0074]コントローラ／プロセッサ６７５は、Ｌ２レイヤを実装する。コントローラ／プロセッサ６７５は、プログラムコードとデータとを記憶するメモリ６７６に関連付けられ得る。メモリ６７６は、コンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットは、コアネットワークに与えられ得る。コントローラ／プロセッサ６７５は、ＨＡＲＱ演算をサポートするためにＡＣＫおよび／またはＮＡＣＫプロトコルを使用する誤り検出も担当する。
【００６３】
[0075]図７Ａは、本開示の一態様による、ＵＥ７１５とＰＤＮ７４０（たとえば、インターネット）との間のデータ経路７４５および７５０の一例を示す、ワイヤレス通信システム７００−ａの図である。一態様では、データ経路７４５および７５０は、ＷＷＡＮおよびＷＬＡＮの無線アクセス技術（ＲＡＴ）からのデータの集約を可能にするように構成される。図７Ａに示すように、ワイヤレス通信システム７００−ａは、ＵＥ７１５（マルチモードＵＥ７１５とも呼ばれる）と、ｅＮＢ７０５−ａと、ＷＬＡＮ  ＡＰ  ７０５−ｂと、発展型パケットコア（ＥＰＣ）７８０と、ＰＤＮ７４０と、ピアエンティティ７５５とを含み得る。ＥＰＣ７８０は、モビリティ管理エンティティ（ＭＭＥ）７３０と、サービス用ゲートウェイ（ＳＧＷ）７３２と、ＰＤＮゲートウェイ（ＰＧＷ）７３４とを含み得る。ホーム加入者システム（ＨＳＳ）７３５は、ＭＭＥ７３０と通信可能に結合され得る。ＵＥ７１５は、ＬＴＥ無線機７２０とＷＬＡＮ無線機７２５とを含み得る。
【００６４】
[0076]ｅＮＢ７０５−ａおよびＷＬＡＮ  ＡＰ７０５−ｂは、一緒に位置づけられるか、またはさもなければ、（たとえば、ファイバー接続を介して）互いに高速通信し得る。図７Ａの構成では、ＵＥ７１５とＷＬＡＮ  ＡＰ７０５−ｂとの間のＥＰＳベアラ関連のデータは、ｅＮＢ７０５−ａを通してＥＰＣ７８０にルーティングされ得る。このように、すべてのＥＰＳベアラ関連のデータは、ｅＮＢ７０５−ａ、ＥＰＣ７８０、ＰＤＮ７４０、およびピアエンティティ７５５間の同じ経路に沿って転送され得る。
【００６５】
[0077]図７Ａに示すように、ｅＮＢ７０５−ａおよびＷＬＡＮ  ＡＰ７０５−ｂは、１つもしくは複数のＬＴＥ成分キャリアまたは１つもしくは複数のＷＬＡＮ成分キャリアの集約を使用してＵＥ７１５にＰＤＮ７４０へのアクセスを与えることが可能になり得る。ＰＤＮ７４０へのこのアクセスを使用して、ＵＥ７１５は、ピアエンティティ７５５と通信し得る。
【００６６】
[0078]ＭＭＥ７３０は、ＵＥ７１５とＥＰＣ７８０との間のシグナリングを処理する制御ノードであり得る。概して、ＭＭＥ７３０は、ベアラおよび接続管理を行い得る。ＭＭＥ７３０は、したがって、ＵＥ７１５のためにアイドルモードＵＥトラッキングおよびページングと、ベアラアクティブ化および非アクティブ化と、ＳＧＷ選択とを担当し得る。ＭＭＥ７３０は、Ｓ１−ＭＭＥインターフェースを介してｅＮＢ７０５−ａと通信し得る。ＭＭＥ７３０は、ＵＥ７１５をさらに認証し、ＵＥ７１５との非アクセス層（ＮＡＳ：Non-Access Stratum）シグナリングを実装し得る。
【００６７】
[0079]ＨＳＳ７３５は、機能の中でも、加入者データを記憶し、ローミング制限を管理し、加入者のためのアクセス可能アクセスポイント名（ＡＰＮ：access point name）を管理し、加入者をＭＭＥ７３０に関連付け得る。ＨＳＳ７３５は、３ＧＰＰ団体によって規格化された発展型パケットシステム（ＥＰＳ）アーキテクチャによって定義されたＳ６ａインターフェースを介してＭＭＥ７３０と通信し得る。
【００６８】
[0080]図７Ａに示すように、ＳＧＷ７３２は、Ｓ１１シグナリングインターフェースを介してＭＭＥ７３０に接続され得、Ｓ５シグナリングインターフェースを介してＰＤＮゲートウェイ７３４に接続され得る。ＬＴＥを介して送信されるすべてのユーザＩＰパケットは、ｅＮＢ７０５−ａを通りＭＭＥ７３０を通ってＳＧＷ７３２に転送され得る。ＳＧＷ７３２は、ユーザプレーン中に存在し、ｅＮＢ間ハンドオーバおよび異なるアクセス技術間のハンドオーバのためのモビリティアンカーとして働き得る。ＰＤＮゲートウェイ７３４は、ＵＥのＩＰアドレス割振りおよび他の機能を与え得る。
【００６９】
[0081]ＰＤＮゲートウェイ７３４は、ＳＧｉシグナリングインターフェースを介して、ＰＤＮ７４０などの１つまたは複数の外部パケットデータネットワークへの接続性を与え得る。ＰＤＮ７４０は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００７０】
[0082]本例では、ＵＥ７１５とＥＰＣ７８０との間のユーザプレーンデータは、トラフィックがＬＴＥリンクのデータ経路７４５を介して流れるのか、ＷＬＡＮリンクのデータ経路７５０を介して流れるのかにかかわらず、１つまたは複数のＥＰＳベアラの同じセットを横断し得る。１つまたは複数のＥＰＳベアラのセットに関係するシグナリングまたは制御プレーンデータは、ｅＮＢ７０５−ａを経由して、ＵＥ７１５のＬＴＥ無線機７２０とＥＰＣ７８０のＭＭＥ７３０との間で送信され得る。
【００７１】
[0083]図７Ａに示すように、ＵＥは、ユーザのシグナリングおよびデータトラフィックを搬送するために無線アクセスリンクを与える、ｅＮＢ７０５−ａおよびＷＬＡＮ  ＡＰ７０５−ｂに同時に接続される。したがって、図７Ａの態様では、ユーザのデータまたはシグナリングベアラは、ＬＴＥ無線リンクまたはＷＬＡＮ無線リンクのいずれかによってサービスされ得る。
【００７２】
[0084]図７Ｂは、本開示の一態様による、ＵＥ７１５とＰＤＮ７４０との間のデータ経路７４５および７５２の一例を示す、ワイヤレス通信システム７００−ｂの図である。データ経路７４５および７５２は、図７Ａのワイヤレス通信システム７００−ａと実質的に同様であるＷＬＡＮおよびＷＷＡＮの無線アクセス技術からのデータを集約するためのワイヤレス通信システム７００−ｂのコンテキスト内で示される。図７Ｂの構成において示すように、図７ＢのｅＮＢ７０５−ａおよびＷＬＡＮ  ＡＰ７０５−ｂは、共に配置されないかまたはさもなければ互いに通信しないようにすることができる。
【００７３】
[0085]一態様では、ｅＮＢ７０５−ａは、各通信リンク上でサービスされるべきベアラのデータトラフィック（データフローとも呼ばれる）の量を決定し得る。一態様では、各通信リンク上でサービスされるべきデータフローの量は、データフローの断片量である場合があり、システム最適化に基づくことができる。たとえば、ｅＮＢ７０５−ａは、ＷＬＡＮリンク７５１のデータ経路７５２を介してＵＥ７１５にデータフローの７５％をサービスし、ＷＷＡＮリンク７４６のデータ経路７４５を介してデータフローの２５％をサービスすることを決定し得る。一態様では、ＷＷＡＮリンク７４６はＬＴＥリンクである場合があり、ＷＬＡＮリンク７５１はＷｉ−Ｆｉリンクであることができる。
【００７４】
[0086]一態様では、ＵＥ７１５のベアラは、ＤＬ方向にデータフローを搬送するためのＤＬベアラと、ＵＬ方向にデータフローを搬送するためのＵＬベアラとを含み得る。一態様では、ｅＮＢ７０５−ａは、ＵＥ７１５が各通信リンク上で送信すべきデータフローの量を決定する場合があり、ＵＥ７１５のためのＵＬベアラを構成する１つまたは複数のメッセージを送信することができる。たとえば、１つまたは複数のメッセージは、ＵＥが、ＷＬＡＮリンク７５１を使用してＵＬ方向にデータフローの３０％を送信し、ＷＷＡＮリンク７４６を使用してデータフローの７０％を送信すべきことを指示することによってＵＬベアラを構成し得る。一態様では、そのようなメッセージは、ＲＲＣプロトコルを使用してＵＥ７１５に送信され得る。一態様では、ｅＮＢ７０５−ａは、ＵＥ７１５が１つのアクセスリンク（たとえば、ＷＷＡＮリンク７４６またはＷＬＡＮリンク７５１）を介してＵＬ送信信号を送信するように構成される場合、ＵＥ７１５のＵＬベアラを構成する１つまたは複数のメッセージを送信しないことができる。
【００７５】
[0087]一態様では、ＵＥ７１５のＵＬベアラを構成する１つまたは複数のメッセージは、各通信リンク上でＵＥ７１５に（たとえば、ＤＬ方向に）サービスされるべきデータフローの量の決定をさらに指示し得る。たとえば、ＤＬベアラトラフィックのすべてが１つの通信リンク（たとえば、データ経路７４５を介したＷＷＡＮリンク７４６）上でサービスされるべきことをｅＮＢ７０５−ａが決定する場合、ＵＥ７１５は、他の通信リンク（たとえば、ＷＬＡＮリンク７５１）を監視することを回避し、ＵＥ７１５の電力節約をもたらし得る。
【００７６】
[0088]一態様では、ＵＥ７１５のための各無線ベアラは、ＤＬ送信においてｅＮＢ７０５−ａからＵＥ７１５にデータフローを搬送し、ＵＬ送信においてＵＥ７１５からｅＮＢ７０５−ａにデータフローを搬送するように構成され得る。一態様では、ＤＬ送信においてＵＥ７１５にサービスされるべきデータフローの断片量は、ＵＬ送信においてＵＥ７１５から受信されるべきデータフローの断片量と同じにすることができる。別の態様では、ＤＬ送信においてＵＥ７１５にサービスされるべきデータフローの断片量は、ＵＬ送信においてＵＥ７１５から受信されるべきデータフローの断片量と異ならせることができる。
【００７７】
[0089]ＵＥ７１５がＲＬＣ肯定応答モード（ＡＭ）で動作しているとき、ベアラによって搬送されるＤＬデータフローは、ベアラによって搬送されるＵＬデータフローに関するフィードバックメッセージを含む場合があり、ベアラによって搬送されるＵＬデータフローは、ベアラによって搬送されるＤＬデータフローに関するフィードバックおよび／または制御メッセージを含むことができる。一態様では、そのようなフィードバックおよび／または制御メッセージは、ＷＬＡＮリンク７５１を使用することなくＷＷＡＮリンク７４６を使用して、またはＷＷＡＮリンク７４６を使用することなくＷＬＡＮリンク７５１を使用して配信され得る。たとえば、ｅＮＢ７０５−ａは、ＷＷＡＮリンク７４６およびＷＬＡＮリンク７５１を介してＵＥ７１５にデータフローの断片量を送信するように構成される場合があり、ＷＬＡＮリンク７５１を使用することなくＷＷＡＮリンク７４６を使用してベアラのフィードバックおよび／または制御メッセージを送信するように構成することができる。別の例として、フィードバックおよび／または制御メッセージがＷＬＡＮリンク７５１上で配信されるとき、ベアラのフィードバックおよび／または制御メッセージは、ＵＥ７１５から送信される際はＷＬＡＮ  ＡＰ７０５−ｂからｅＮＢ７０５−ａに送信され、ｅＮＢ７０５−ａから送信される際はｅＮＢ７０５−ａからＷＬＡＮ  ＡＰ７０５−ｂに送信されることができる。
【００７８】
[0090]一態様では、ｅＮＢ７０５−ａは、ＷＷＡＮリンクおよびＷＬＡＮリンク上で収集される１つまたは複数の統計量に基づいて、ＷＷＡＮリンク７４６のデータ経路７４５を介してＵＥ７１５にサービスされるべきデータフローの断片量と、ＷＬＡＮリンク７５１のデータ経路７５０を介してＵＥ７１５にサービスされるべきデータフローの断片量とを決定し得る。たとえば、ＷＷＡＮリンク７４６のために収集される統計量は、ｅＮＢ７０５−ａによってサービスされている各ＵＥに関するＣＱＩおよびＭＣＳ、各ＵＥからのベアラ当りのＤＬバッファサイズおよびＵＬバッファステータス報告、総無線リソース利用量（たとえば、ＷＷＡＮリソースの周波数成分および／または時間成分）およびユーザ当りの無線リソース利用量、ならびに／またはＷＷＡＮに関するハードウェアおよびバックホールの負荷を含み得る。たとえば、ＷＬＡＮリンク７５１のために収集される統計量は、ＭＣＳおよびＵＥ当りの受信信号強度指示（ＲＳＳＩ）、送信および受信されたトラフィック、紛失され途切れたパケット、および再試行の試み、ＷＬＡＮ  ＡＰ７０５−ｂに関するチャネル負荷、総無線リソース利用量（たとえば、ＷＬＡＮリソースの時間成分）およびユーザ当りの無線リソース利用量、ならびに／またはＷＬＡＮに関するハードウェアおよびバックホールの負荷を含み得る。
【００７９】
[0091]一態様では、ｅＮＢ７０５−ａは、１つまたは複数の時間期間の各々の間にＷＷＡＮリンク７４６およびＷＬＡＮリンク７５１を介してＵＥ７１５にサービスされるべきデータフローの断片量を決定し得る。たとえば、１つまたは複数の時間期間の各々は、約１秒または他の好適な時間期間であり得る。たとえば、１つまたは複数の時間期間は、同じ持続時間、または異なる持続時間であってもよい。別の態様では、ｅＮＢ７０５−ａは、状態またはイベントに基づいてＷＷＡＮリンク７４６およびＷＬＡＮリンク７５１を介してＵＥ７１５にサービスされるべきデータフローの断片量を決定し、それによって、断片量が更新されるべき時間期間を待つのではなくｅＮＢ７０５−ａが不十分なチャネル状態に迅速に応答することが可能になり得る。たとえば、ＷＬＡＮリンク７５１に関するＲＳＳＩがしきい値よりも小さいとき、またはＷＬＡＮ  ＡＰ７０５−ｂが時間間隔の間に最低のＭＣＳを選択することができない場合、ｅＮＢ７０５−ａは、完全にＷＷＡＮリンク７４６を介してＵＥ７１５にデータフローをサービスすることを決定し得る。そのような例では、ｅＮＢ７０５−ａは、ＷＬＡＮリンク７５１を介してＵＥ７１５にサービスされるべきデータフローの断片量が０であることを決定し得る。
【００８０】
[0092]一態様では、ｅＮＢ７０５−ａは、システム最適化に基づいてＷＷＡＮリンク７４６およびＷＬＡＮリンク７５１を介してＵＥ７１５にサービスされるべきデータフローの断片量を決定し得る。たとえば、システム最適化は、ワイヤレス通信システム７００−ａにおいて利用可能なリンク（たとえば、ＷＷＡＮリンク７４６およびＷＬＡＮリンク７５１）に関する総システム利用量を最大化するように構成され得る。一態様では、ｅＮＢ７０５−ａは、そのようなシステム最適化を反復的に実行し得る。ｅＮＢ７０５−ａは、ＷＷＡＮリンク７４６およびＷＬＡＮリンク７５１を介してＵＥ７１５にサービスされるべきデータフローの断片量を割り振るとき、公平性を達成するために比例公平性（ＰＦ）メトリックを使用し得る。一態様では、ｅＮＢ７０５−ａは、式（１）において定義される総システム効用関数Ｆ（Ｓ）を最大化する割振りを決定することによって総システム利用量を増加させ得る。
【００８１】
【数１】
0006483151.tif 000002
【００８２】
ここで、ＳはＳ＿ｋのベクトルであり、Ｘ＿ｋは現時点までのベアラｋの総スループット（たとえば、１秒当りのビット）のフィルタリングされた値であり、ΔＸ＿ｋは後続の時間期間の間のベアラｋに関する期待スループット（たとえば、１秒当りのビット）である。たとえば、Ｓ＿ｋは、ＷＷＡＮリンク７４６上でサービスされるべきベアラｋに関するデータフローの断片量を表す０から１の間の数であり、ａｌｐｈａ＿ｋ（Ｓ＿ｋ）は、Ｓ＿ｋが使用される際の各リンク上の有効データレート間の差を組み込む関数であり、ｂｅｔａ＿ｋは、各リンク上のレイテンシ間の差を組み込む。術語ａｌｐｈａ＿ｋ（Ｓ＿ｋ）およびｂｅｔａ＿ｋは、各リンク上のデータレート間およびレイテンシ間の差を最適化するために使用され、それによって、上位レイヤにおけるパケット並べ替えの影響を最小化する。Ｓは、ＷＷＡＮリンク７４６またはＷＬＡＮリンク７５１のいずれかにおいてサービスされるべき各ベアラの割当て（たとえば、すべてのベアラｋがＷＬＡＮ上でサービスされていることにＳ＿ｋ＝０が対応し、すべてのベアラｋがＷＷＡＮ上でサービスされていることにＳ＿ｋ＝１が対応するものとした、ＷＷＡＮリンク７４６およびＷＬＡＮリンク７５１上でサービスされるべきデータフローの断片量）を示すことに留意されたい。
【００８３】
[0093]別の態様では、ｅＮＢ７０５−ａは、式（２）において定義される総システム効用関数Ｆ（Ｓ）を最大化する割振りを決定することによって総システム利用量を増加させ得る。
【００８４】
【数２】
0006483151.tif 000003
【００８５】
ここで、Ｙ＿ｋはベアラｋに関する期待データレートである。一態様では、ｅＮＢ７０５−ａは、各リンク（たとえば、ＷＷＡＮリンク７４６およびＷＬＡＮリンク７５１）上のデータレートに基づいてＹ＿ｋを推定し得る。たとえば、Ｙ’＿ｋがＬＴＥデータレートを表すために定義され、Ｙ’’＿ｋがＷＬＡＮデータレートを表すために定義される場合、ｅＮＢ７０５−ａは、式（３）に基づいてＹ＿ｋを決定し得る。
【００８６】
【数３】
0006483151.tif 000004
【００８７】
[0094]上記で説明した式１から３において、ベアラ添え字ｋは、構成によってただ１つのリンク上でサービスされるベアラを含む、システム内のすべてのベアラに適用する。したがって、すべてのベアラの影響は、システム最適化に組み込まれ得る。さらに、各ベアラの添え字ｋは、一方向リンク（たとえば、ＵＬまたはＤＬ）に関連付けられ、したがって、ＵＬおよびＤＬのベアラは各々、システム最適化において検討され得る。たとえば、総システム効用関数Ｆ（Ｓ）は、アップリンクベアラとダウンリンクベアラの両方に関して計算され得る。
【００８８】
[0095]一態様では、ｅＮＢ７０５−ａは、各リンク（たとえば、ＷＷＡＮリンク７４６およびＷＬＡＮリンク７５１）上で各ベアラに割り当てられる優先度のバリエーションを組み込むことによってシステム効用関数Ｆ（Ｓ）を最適化し得る。たとえば、ＷＷＡＮリンク７４６およびＷＬＡＮリンク７５１は、パケットスケジューリングを介してベアラにＱｏＳを提供し続けることができる。たとえば、スケジューラがベアラの様々なＱｏＳクラス間により高い優先度を割り当てる場合、関数Ｆ（Ｓ）は、優先度にそのようなバリエーションを組み込むために修正され得る。
【００８９】
[0096]一態様では、ｅＮＢ７０５−ａは、同様の遅延およびスループットが各リンク上で維持され得るように各リンク（たとえば、ＷＷＡＮリンク７４６およびＷＬＡＮリンク７５１）上のデータレートのバリエーションを組み込むことによってシステム効用関数Ｆ（Ｓ）を最適化し得る。したがって、各リンク上でサービスされるパケットに関する遅延スキューを最小化することができ、上位レイヤにおけるパケットの並べ替えの影響を低減または回避することができる。
【００９０】
[0097]一態様では、関数Ｆ（Ｓ）を最大化するための探索空間は、ベアラの総数として定義された次元を有する。そのような態様では、ｅＮＢ７０５−ａは、１つまたは複数の状態に基づいてベアラの総数のうちのいくつかを除外し、それによって、次元を低減し得る。たとえば、状態は、（ａ）状態もしくはイベントにトリガされるベアラ分割（たとえば、一方のアクセスリンク（たとえば、ＷＷＡＮリンク７４６）が不十分である（たとえば、しきい値未満である）一方で、他方のリンク（たとえば、ＷＬＡＮリンク７５１）がアクセス可能である場合、ベアラを切り替える）、（ｂ）ＷＷＡＮリンク７４６のみもしくはＷＬＡＮリンク７５１のみを使用するように構成されたベアラ、（ｃ）ベアラの禁止タイマーが動作していること、および／または（ｄ）任意の場合においてある数よりも多いベアラのための分割変更（これらは状態（ａ）における切替えを含まない）を含み得る。
【００９１】
[0098]たとえば、ｅＮＢ７０５−ａは、状態（ａ）〜（ｄ）に基づいてＦ（Ｓ）を評価するために点Ｓの探索空間を表すようにΩを定義する場合があり、状態（ａ）〜（ｄ）の結果として見出された点となるようにＳｃを定義することができる。Ωが空である場合、ｅＮＢ７０５−ａは、この点をＦ（Ｓ）に関する最適点として選択し得る。さもなければ、Ωが空でない場合、ｅＮＢ７０５−ａは、総システム利用量を最大化するためにＦ（Ｓ）に関する最適点を見出すように最適化手順を適用し得る。
【００９２】
[0099]たとえば、ｅＮＢ７０５−ａは、点Ｓ１を定義することによって最適化手順を適用し得るが、ここにおいて、Ｓ１＝Ｓｃである。次いで、ｅＮＢ７０５−ａは、Ｆ（Ｓ）が評価されてきた点の数が（たとえば、計算要件のために）許容される評価の最大数よりも大きいかどうかを決定し得る。Ｆ（Ｓ）が評価されてきた点の数が許容される評価の最大数よりも大きい場合、ｅＮＢ７０５−ａは、最適化手順を中止する。さもなければ、ｅＮＢ７０５−ａは、ＷＷＡＮリンク７４６とＷＬＡＮリンク７５１との間でベアラを分割することから得られる期待システム利用量に少なくとも部分的に基づいて様々なベアラをランク付けし得る。たとえば、ｅＮＢは、最大のシステム利用利得が期待されるベアラとしてｋ０を定義し得る。一態様では、システム利用利得に関するランク付けは、次の式、すなわち、（現在のＳｃに関する、ＷＷＡＮリンク７４６とＷＬＡＮリンク７５１との間の有効データレートデルタ）*（次の間隔の間のトラフィック量）／（受信されたスループット）に基づくことができる。次いで、ｅＮＢ７０５−ａは、利得が期待されるリンク上でベアラｋ０のすべてがサービスされる際に決定される点として点Ｓ２を定義し得る。次いで、ｅＮＢ７０５−ａは、α（α’と呼ばれる）の最適値を決定し得るが、ここにおいて、０≦α≦１であり、Ｇ（α）＝Ｆ（α*Ｓ１＋（１−α）*Ｓ２）が最大化される。Ｇ（α’）＞Ｆ（Ｓ１）＋Ｄｅｌｔａ１の場合、ｅＮＢ７０５−ａは、Ｓ１＝Ｓ２となるように点Ｓ１を定義し得る。次いで、ｅＮＢ７０５−ａは、Ｆ（Ｓ）が評価されてきた点の数が許容される評価の最大数よりも大きいかどうかを決定するステップに戻り、前に説明した最適化手順を実行し続けることができる。
【００９３】
[00100]ｅＮＢ７０５−ａは、Ｆ（Ｓ１）／Ｆ（Ｓｃ）＞Ｄｅｌｔａ２である場合、Ｓｎに関して点Ｓ１を選択したであり得る。さもなければ、ｅＮＢ７０５−ａは、点Ｓｃを選択する場合があり、Ｓｎｅｗ＝Ｓｃとなるように点Ｓｎｅｗを定義することができる。ＳｎｅｗとＳｃとが異なる（すなわち、Ｓｎｅｗ＿ｋがＳｃ＿ｋと等しくない）ベアラが存在する場合、ｅＮＢ７０５−ａは、これらの変更をＵＥ７１５に適用し、および／またはこれらの変更をＵＥ７１５に搬送し得る。
【００９４】
[00101]一態様では、各ベアラに関してｅＮＢ７０５−ａによって決定される断片量は、トークンバケット機構を使用してｅＮＢ７０５−ａによって実装され得る。一態様では、ｅＮＢ７０５−ａは、第１のＲＡＴ（たとえば、ＷＷＡＮリンク７４６）を介してＵＥ７１５にデータフローのあるパーセンテージ（たとえば、ｘ％）をサービスし、第２のＲＡＴ（たとえば、ＷＬＡＮリンク７５１）を介してＵＥ７１５にデータフローの残りのパーセンテージ（たとえば、１００％−ｘ％）をサービスすることを決定し得る。そのような態様では、各入来データ単位（たとえば、ビットまたはバイト）の場合、ｅＮＢ７０５−ａは、第１のＲＡＴに関するトークンバケット内のｘ／１００データ単位を収集する一方で、第２のＲＡＴに関する１−ｘ／１００データ単位を収集することができる。ｓビットサイズのパケットがＲＡＴ上でスケジューリングされるとき、この量は、それぞれのトークンバケットから除去される。各ＲＡＴ上でスケジューリングするパケットは、トークンバケットレベルが常に非負値でなければならないことを除いてそれ自体のＭＡＣアルゴリズムに従う。
【００９５】
[00102]図８は、本開示の様々な態様による、ワイヤレス通信の方法のフローチャート８００である。本方法は、図７Ａおよび図７ＢのｅＮＢ７０５−ａなどのｅＮＢによって実行され得る。点線によって示された、図８のフローチャート内のステップは、随意のステップを表すことを理解されたい。
【００９６】
[00103]ステップ８０２では、ｅＮＢは、第１のＲＡＴを使用して第１の通信リンクを介してＵＥ（たとえば、図７Ａおよび図７ＢのＵＥ７１５）にサービスされるべきデータフローの第１の断片量を決定する。たとえば、データフローは、ＤＬ送信においてＵＥに配信されるべき１つまたは複数のデータパケットを含むデータサービスである場合があり、第１のＲＡＴは、ＬＴＥなどのＷＷＡＮであることができる。
【００９７】
[00104]ステップ８０４では、ｅＮＢは、第２のＲＡＴを使用して第２の通信リンクを介してＵＥにサービスされるべきデータフローの第２の断片量を決定する。たとえば、第２のＲＡＴは、ＷｉＦｉ（登録商標）などのＷＬＡＮであり得る。一態様では、ｅＮＢは、構成、または式１および２に示す最適化関数などの最適化関数に基づいてデータフローの第１の断片量またはデータフローの第２の断片量を決定する。一態様では、ｅＮＢは、ＵＥからの報告に少なくとも部分的に基づいて、データフローの第１の断片量の決定またはデータフローの第２の断片量を決定する。一態様では、ｅＮＢは、ある時間期間の間、またはＵＥからの報告の受信に少なくとも部分的に基づいてデータフローの第１の断片量またはデータフローの第２の断片量を動的に決定する。一態様では、第２の通信リンクのチャネル品質がしきい値未満であるとき、または第２の通信リンクのために最低のＭＣＳを選択することができないとき、データフローの第１の断片量の決定は１であり、データフローの第２の断片量の決定は０である。
【００９８】
[00105]ステップ８０６では、ｅＮＢは、第１および第２の通信リンクのために維持されるトークンバケット機構に基づいて、または分割確率に基づいて、データフローの決定された第１および第２の断片量を実装する。
【００９９】
[00106]ステップ８０８では、ｅＮＢは、第１のＲＡＴを使用した第１の通信リンクまたは第２のＲＡＴを使用した第２の通信リンクのいずれかを介してＵＥからデータフローに関する制御情報を受信する。
【０１００】
[00107]ステップ８１０では、ｅＮＢは、第１の通信リンクを介してＵＥにデータフローの第１の断片量をサービスする。
【０１０１】
[00108]ステップ８１２では、ｅＮＢは、第１のＲＡＴを使用した第１の通信リンクまたは第２のＲＡＴを使用した第２の通信リンクのいずれかを介してＷＬＡＮ  ＡＰ（たとえば、ＷＬＡＮ  ＡＰ７０５−ｂ）および／またはＵＥからデータフローに関するフィードバック情報を受信する。
【０１０２】
[00109]ステップ８１４では、ｅＮＢは、チャネル品質がしきい値未満であるかどうかを決定する。チャネル品質がしきい値未満である場合、ｅＮＢは、ステップ８１６において決定された第１の断片量および／または第２の断片量を更新する。さもなければ、ステップ８１８において、ｅＮＢは、データフローの第１および第２の断片量の決定を周期的に評価する。一態様では、データフローの第１および第２の断片量の決定の評価は、禁止タイマーが動作しているときにデータフローの決定された第１および第２の断片量を適用することを回避することによって、および／または、データフローに関する断片的な割振り変更の数がある時間内にしきい値を超えるときにデータフローの決定された第１および第２の断片量を適用することを回避することによって実行される。
【０１０３】
[00110]図９は、本開示の様々な態様による、ワイヤレス通信の方法のフローチャート９００である。本方法は、図７Ａおよび図７ＢのｅＮＢ７０５−ａなどのｅＮＢによって実行され得る。点線によって示された、図９のフローチャート内のステップは、随意のステップを表すことを理解されたい。
【０１０４】
[00111]ステップ９０２では、ｅＮＢは、第１のＲＡＴを使用して第１の通信リンクを介してＵＥ（たとえば、図７Ａおよび図７ＢのＵＥ７１５）によって送信されるべきデータフローの第１の断片量を決定する。たとえば、第１のデータフローは、ＵＬ送信においてｅＮＢに配信されるべき１つまたは複数のデータパケットを含むデータである場合があり、第１のＲＡＴは、ＬＴＥなどのＷＷＡＮであることができる。
【０１０５】
[00112]ステップ９０４では、ｅＮＢは、第２のＲＡＴを使用して第２の通信リンクを介してＵＥによって送信されるべきデータフローの第２の断片量を決定する。たとえば、第２のＲＡＴは、ＷｉＦｉなどのＷＬＡＮであり得る。一態様では、ｅＮＢは、構成、または式１および２に示す最適化関数などの最適化関数に基づいてデータフローの第１の断片量またはデータフローの第２の断片量を決定する。一態様では、ｅＮＢは、ＵＥからの報告に少なくとも部分的に基づいて、データフローの第１の断片量の決定またはデータフローの第２の断片量を決定する。一態様では、ｅＮＢは、ある時間期間の間、またはＵＥからの報告の受信に少なくとも部分的に基づいてデータフローの第１の断片量またはデータフローの第２の断片量を動的に決定する。一態様では、第２の通信リンクのチャネル品質がしきい値未満であるとき、または第２の通信リンクのために最低のＭＣＳを選択することができないとき、データフローの第１の断片量の決定は１であり、データフローの第２の断片量の決定は０である。
【０１０６】
[00113]ステップ９０６では、ｅＮＢは、第１の通信リンクを介してデータフローの第１の断片量を送信し、第２の通信リンクを介してデータフローの第２の断片量を送信するためにＵＥにメッセージを送信する。
【０１０７】
[00114]ステップ９０８では、ｅＮＢは、第１および第２の通信リンクのために維持されるトークンバケット機構に基づいて、または分割確率に基づいて、データフローの決定された第１および第２の断片量を実装する。
【０１０８】
[00115]ステップ９１０では、ｅＮＢは、第１の通信リンクを介してＵＥからデータフローの第１の断片量を受信する。
【０１０９】
[00116]ステップ９１１では、ｅＮＢは、第１のＲＡＴを使用した第１の通信リンクまたは第２のＲＡＴを使用した第２の通信リンクのいずれかを介してＵＥにデータフローに関する制御情報を送信する。
【０１１０】
[00117]ステップ９１２では、ｅＮＢは、チャネル品質がしきい値未満であるかどうかを決定する。チャネル品質がしきい値未満である場合、ｅＮＢは、ステップ９１４において決定された第１の断片量および／または第２の断片量を更新する。さもなければ、ステップ９１６において、ｅＮＢは、データフローの第１および第２の断片量の決定を周期的に評価する。一態様では、データフローの第１および第２の断片量の決定の評価は、禁止タイマーが動作しているときにデータフローの決定された第１および第２の断片量を適用することを回避することによって、および／または、データフローに関する断片的な割振り変更の数がある時間内にしきい値を超えるときにデータフローの決定された第１および第２の断片量を適用することを回避することによって実行される。
【０１１１】
[00118]図１０は、本開示の様々な態様による、ワイヤレス通信の方法のフローチャート１０００である。本方法は、ｅＮＢ７０５−ａなどのｅＮＢによって実行され得る。ステップ１００２では、ｅＮＢは、１つまたは複数の状態に基づいて総システム効用関数Ｆ（Ｓ）を最大化するために点Ｓの探索空間を表すようにΩを定義し、１つまたは複数の状態の結果として見出された点となるように点Ｓｃを定義する。たとえば、１つまたは複数の状態は、上記で説明した状態（ａ）〜（ｄ）を含み得る。
【０１１２】
[00119]ステップ１００４では、ｅＮＢは、探索空間Ωが空であるかどうかを決定する。探索空間Ωが空である場合、ステップ１００６において、ｅＮＢは、総システム効用関数Ｆ（Ｓ）に関する最適点として点Ｓｃを選択する。さもなければ、探索空間Ωが空でない場合、ステップ１００８において、ｅＮＢは、点Ｓ１を定義することによって最適化手順を適用する。
【０１１３】
[00120]ステップ１０１０では、ｅＮＢは、Ｆ（Ｓ）が評価されてきた点の数が（たとえば、計算要件のために）許容される評価の最大数よりも大きいかどうかを決定する。Ｆ（Ｓ）が評価されてきた点の数が許容される評価の最大数よりも大きい場合、ステップ１０１２において、ｅＮＢは、最適化手順を中止する。さもなければ、ステップ１０１４では、ｅＮＢは、ＷＷＡＮリンク７４６とＷＬＡＮリンク７５１との間でベアラを分割することから得られる期待システム利用量に少なくとも部分的に基づいて様々なベアラをランク付けする。たとえば、ｅＮＢは、最大のシステム利用利得が期待されるベアラとしてｋ０を定義し得る。一態様では、システム利用利得に関するランク付けは、次の式、すなわち、（現在のＳｃに関する、ＷＷＡＮリンク７４６とＷＬＡＮリンク７５１との間の有効データレートデルタ）*（次の間隔の間のトラフィック量）／（受信されたスループット）に基づくことができる。
【０１１４】
[00121]ステップ１０１６では、ｅＮＢは、利得が期待されるリンク上でベアラｋ０のすべてがサービスされる際に決定される点として点Ｓ２を定義する。
【０１１５】
[00122]ステップ１０１８では、ｅＮＢは、αの最適値（α’と呼ばれる）を決定するが、ここにおいて、０≦α≦１であり、Ｇ（α）＝Ｆ（α*Ｓ１＋（１−α）*Ｓ２）が最大化される。
【０１１６】
[00123]ステップ１０２０では、ｅＮＢは、Ｇ（α’）＞Ｆ（Ｓ１）＋Ｄｅｌｔａ１であるかどうかを決定する。Ｇ（α’）＞Ｆ（Ｓ１）＋Ｄｅｌｔａ１の場合、ステップ１０２２において、ｅＮＢは、Ｓ１＝Ｓ２となるように点Ｓ１を定義する。次いで、ｅＮＢは、Ｆ（Ｓ）が評価されてきた点の数が許容される評価の最大数よりも大きいかどうかを決定するステップ１０１０に戻る。さもなければ、図１０Ｂに示すステップ１０２４において、ｅＮＢは、Ｆ（Ｓ１）／Ｆ（Ｓｃ）＞Ｄｅｌｔａ２であるかどうかを決定する。Ｆ（Ｓ１）／Ｆ（Ｓｃ）＞Ｄｅｌｔａ２の場合、ステップ１０２６において、ｅＮＢは、Ｓｎに関して点Ｓ１を定義する。さもなければ、ステップ１０２８において、ｅＮＢは、Ｓｎｅｗ＝Ｓｃとなるように点Ｓｎｅｗを定義する。ステップ１０３０では、ｅＮＢは、ＳｎｅｗとＳｃとが異なる（すなわち、Ｓｎｅｗ＿ｋがＳｃ＿ｋと等しくない）ベアラが存在するとき、変更をＵＥ７１５に適用し、および／または変更をＵＥ７１５に搬送する。
【０１１７】
[00124]図１１は、本開示の様々な態様による、例示的な装置１１０２内の様々なモジュール／手段／構成要素間のデータフローを示す概念データフロー図１１００である。本装置はｅＮＢであり得る。本装置は、第１の通信リンクを介してＷＷＡＮ  ＵＬ送信信号（たとえば、ＵＥ１１５０などのＵＥからの第２のデータフローの第３の断片量１１２０）を受信するモジュール１１０４を含む。モジュール１１０４は、第１のＲＡＴ（たとえば、ＬＴＥなどのＷＷＡＮ）を使用した第１の通信リンクまたは第２のＲＡＴ（たとえば、ＷｉＦｉなどのＷＬＡＮ）を使用した第２の通信リンクのいずれかを介してＷＬＡＮ  ＡＰ１１５２（たとえば、ＷＬＡＮ  ＡＰ７０５−ｂ）および／またはＵＥからの第１のデータフローに関するフィードバック情報をさらに受信し得る。本装置は、第１のＲＡＴを使用して第１の通信リンクを介してＵＥにサービスされるべき第１のデータフローの第１の断片量１１２４を決定し、第２のＲＡＴを使用して第２の通信リンク（たとえば、ＷＬＡＮリンク１１２６）を介してＵＥにサービスされるべき第１のデータフローの第２の断片量１１２８を決定し、第１のＲＡＴを使用して第１の通信リンクを介してＵＥによって送信されるべき第２のデータフローの第３の断片量１１２０を決定し、第２のＲＡＴを使用して第２の通信リンク１１２６を介してＵＥによって送信されるべき第２のデータフローの第４の断片量１１２２を決定し、チャネル品質がしきい値未満であるかどうかを決定するモジュール１１０６と、第１および第２の通信リンクのために維持されるトークンバケットに基づいて、または分割確率に基づいて第１のデータフローの決定された第１および第２の断片量を実装するモジュール１１０８と、チャネル品質がしきい値未満であるときに決定された第３および第４の断片量を更新するモジュール１１１０と、第１のデータフローの第１および第２の断片量の決定および／または第２のデータフローの第３および第４の断片量の決定を周期的に評価するモジュール１１１２と、第１の通信リンクを使用してＵＥに第１のデータフローの第１の断片量をサービスするモジュール１１１４と、第１のＲＡＴを使用して第１の通信リンクを介してＵＥとの間で制御情報を送信および受信するか、または第２のＲＡＴを使用して第２の通信リンクを介してＵＥに制御情報を送信および受信するモジュール１１１６と、ＵＥにＷＷＡＮ  ＤＬ送信信号を送信するモジュール１１１８とをさらに含む。一態様では、モジュール１１１８は、第１のＲＡＴを使用して第１の通信リンクを介して第２のデータフローの第３の断片量を送信し、第２のＲＡＴを使用して第２の通信リンクを介して第２のデータフローの第４の断片量を送信するようにＵＥにメッセージを送信する。
【０１１８】
[00125]本装置は、図８、図９、図１０Ａ、および図１０Ｂの上述のフローチャート中のアルゴリズムのステップの各々を実行する追加のモジュールを含み得る。したがって、図８、図９、図１０Ａ、および図１０Ｂの上述のフローチャート中の各ステップは１つのモジュールによって実行され得、本装置は、それらのモジュールのうちの１つまたは複数を含み得る。それらのモジュールは、述べられたプロセス／アルゴリズムを実行するように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１９】
[00126]図１２は、本開示の様々な態様による、処理システム１２１４を採用する装置１１０２’のためのハードウェア実装形態の一例を示す図１２００である。処理システム１２１４は、バス１２２４によって全体的に表される、バスアーキテクチャを用いて実現され得る。バス１２２４は、処理システム１２１４の具体的な適用例および全体的な設計制約に応じて、任意の数の相互接続用バスおよびブリッジを含み得る。バス１２２４は、プロセッサ１２０４によって表される１つまたは複数のプロセッサおよび／またはハードウェアモジュールと、モジュール１１０４、１１０６、１１０８、１１１０、１１１２、１１１４、１１１６、および１１１８と、コンピュータ可読媒体／メモリ１２０６とを含む様々な回路を互いにリンクする。また、バス１２２４はまた、タイミングソース、周辺機器、電圧レギュレータ、および電力管理回路などの様々な他の回路にもリンクすることができるが、これらの回路は当技術分野においてよく知られており、したがって、これ以上説明されない。
【０１２０】
[00127]処理システム１２１４は、トランシーバ１２１０に結合され得る。トランシーバ１２１０は、１つまたは複数のアンテナ１２２０に結合される。トランシーバ１２１０は、送信媒体を介して様々な他の装置と通信するための手段を提供する。トランシーバ１２１０は、１つまたは複数のアンテナ１２２０から信号を受信し、受信された信号から情報を抽出し、抽出された情報を処理システム１２１４、特に受信モジュール１１０４に与える。さらに、トランシーバ１２１０は、処理システム１２１４、特に送信モジュール１１１１８から情報を受信し、受信された情報に基づいて、１つまたは複数のアンテナ１２２０に適用されるべき信号を生成する。処理システム１２１４は、コンピュータ可読媒体／メモリ１２０６に結合されたプロセッサ１２０４を含む。プロセッサ１２０４は、コンピュータ可読媒体／メモリ１２０６に記憶されたソフトウェアの実行を含む一般的な処理を担当する。ソフトウェアは、プロセッサ１２０４によって実行されたとき、処理システム１２１４に、特定の装置のための上記で説明した様々な機能を実行させる。コンピュータ可読媒体／メモリ１２０６はまた、ソフトウェアを実行するときにプロセッサ１２０４によって操作されるデータを記憶するために使用され得る。処理システムは、モジュール１１０４、１１１０６、１１０８、１１１０、１１１２、１１１４、１１１６、および１１１８のうちの少なくとも１つをさらに含む。それらのモジュールは、プロセッサ１２０４中で動作するか、コンピュータ可読媒体／メモリ１２０６中に存在する／記憶されたソフトウェアモジュールであるか、プロセッサ１２０４に結合された１つまたは複数のハードウェアモジュールであるか、またはそれらの何らかの組合せであり得る。処理システム１２１４は、ｅＮＢ６１０の構成要素であり得、メモリ６７６、ならびに／またはＴＸプロセッサ６１６、ＲＸプロセッサ６７０、およびコントローラ／プロセッサ６７５のうちの少なくとも１つを含み得る。
【０１２１】
[00128]一構成では、ワイヤレス通信のための装置１１０２／１１０２’は、第１のＲＡＴを使用して第１の通信リンクを介してＵＥにサービスされるべき第１のデータフローの第１の断片量を決定するための手段と、第２のＲＡＴを使用して第２の通信リンクを介してＵＥにサービスされるべき第１のデータフローの第２の断片量を決定するための手段と、第１の通信リンクを使用してＵＥに第１のデータフローの第１の断片量をサービスするための手段と、第１のＲＡＴを使用した第１の通信リンクまたは第２のＲＡＴを使用した第２の通信リンクのいずれかを介してＷＬＡＮ  ＡＰ（たとえば、ＷＬＡＮ  ＡＰ７０５−ｂ）および／またはＵＥから第１のデータフローに関するフィードバック情報を受信するための手段と、第２のＲＡＴを使用することなく第１のＲＡＴを使用して第１の通信リンクを介してＵＥに制御情報を送信するか、または第１のＲＡＴを使用することなく第２のＲＡＴを使用して第２の通信リンクを介してＵＥに制御情報を送信するための手段と、第１のＲＡＴを使用して第１の通信リンクを介してＵＥによって送信されるべき第２のデータフローの第３の断片量を決定するための手段と、第２のＲＡＴを使用して第２の通信リンクを介してＵＥによって送信されるべき第２のデータフローの第４の断片量を決定するための手段と、第１の通信リンクを介してＵＥから第２のデータフローの第３の断片量を受信するための手段と、チャネル品質がしきい値未満であるかどうかを決定するための手段と、チャネル品質がしきい値未満であるときに決定された第３および第４の断片量を更新するための手段と、第１のデータフローの第１および第２の断片量の決定および／または第２のデータフローの第３および第４の断片量の決定を周期的に評価するための手段と、第１のＲＡＴを使用して第１の通信リンクを介して第２のデータフローの第３の断片量を送信し、第２のＲＡＴを使用して第２の通信リンクを介して第２のデータフローの第４の断片量を送信するためにＵＥにメッセージを送信するための手段と、第１および第２の通信リンクのために維持されるトークンバケット機構に基づいて、または分割確率に基づいて第１のデータフローの決定された第１および第２の断片量と第２のデータフローの第３および第４の断片量とを実装するための手段とを含む。上述の手段は、上述の手段によって列挙される機能を実行するように構成された、装置１１０２の上述のモジュールおよび／または装置１１０２’の処理システム１２１４のうちの１つまたは複数であり得る。上記で説明したように、処理システム１２１４は、ＴＸプロセッサ６１６と、ＲＸプロセッサ６７０と、コントローラ／プロセッサ６７５とを含み得る。したがって、一構成では、上述の手段は、上述の手段によって列挙される機能を実施するように構成された、ＴＸプロセッサ６１６と、ＲＸプロセッサ６７０と、コントローラ／プロセッサ６７５とであり得る。
【０１２２】
[00129]開示したプロセス／フローチャートにおけるステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１２３】
[00130]以上の説明は、本明細書で説明された様々な態様を当業者が実施することを可能にするために与えられた。これらの態様に対する様々な変更は当業者には容易に明らかになり、本明細書で定義した一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように別段に明記されていない限り、「唯一無二の」を意味するものではなく、「１つまたは複数の」を意味するものである。「例示的」という単語は、本明細書では「例、事例、または例示として機能すること」を意味するために使用される。本明細書において「例示的」として説明されている何らかの態様は、必ずしも他の態様よりも好ましい、または他の態様よりも有利な態様として解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、任意のそのような組合せは、Ａ、Ｂ、またはＣの１つまたは複数のメンバーを含んでいることがある。当業者に知られているかまたは後で当業者に知られるようになる、本開示全体にわたって説明する様々な態様の要素に対するすべての構造的等価物および機能的等価物は、参照により本明細書に明確に組み込まれ、特許請求の範囲によって包含されるものである。その上、本明細書で開示されたいかなることも、そのような開示が特許請求の範囲に明示的に列挙されているかどうかにかかわらず、公に供するものではない。いかなるクレーム要素も、その要素が「ための手段」という語句を使用して明確に列挙されていない限り、ミーンズプラスファンクションとして解釈されるべきではない。
以下に本願の出願当初の特許請求の範囲に記載された発明を付記する。
[Ｃ１]  ワイヤレス通信の方法であって、
第１の無線アクセス技術（ＲＡＴ）を使用して第１の通信リンクを介してユーザ機器（ＵＥ）にサービスされるべき第１のデータフローの第１の断片量を決定することと、
第２のＲＡＴを使用して第２の通信リンクを介して前記ＵＥにサービスされるべき前記第１のデータフローの第２の断片量を決定することと、
前記第１の通信リンクを使用して前記ＵＥに前記第１のデータフローの前記第１の断片量をサービスすることとを備える、方法。
[Ｃ２]  前記第１のデータフローの前記第１の断片量または前記第１のデータフローの前記第２の断片量のうちの少なくとも１つが、構成または最適化関数に基づいて決定される、Ｃ１に記載の方法。
[Ｃ３]  前記最適化関数が、
データフローの通信リンクへの割当て、
前記第１のＲＡＴおよび前記第２のＲＡＴの各々のチャネル状態、
前記第１のＲＡＴおよび前記第２のＲＡＴの各々のトラフィック状態、
前記第１のＲＡＴおよび前記第２のＲＡＴのリソース、
前記第１の通信リンクおよび前記第２の通信リンクのチャネル負荷、または
前記第１の通信リンク上のデータレートおよびレイテンシと前記第２の通信リンク上のデータレートおよびレイテンシとの間の差のうちの少なくとも１つに基づいている、Ｃ２に記載の方法。
[Ｃ４]  前記第１のＲＡＴを使用して前記第１の通信リンクを介して前記ＵＥとの間で前記第１のデータフローに関する制御情報を送信および受信すること、または
前記第２のＲＡＴを使用して前記第２の通信リンクを介して前記ＵＥとの間で前記第１のデータフローに関する前記制御情報を送信および受信することをさらに備える、Ｃ１に記載の方法。
[Ｃ５]  前記制御情報が、第１および第２の通信リンクの各々の上での断片送信の構成のための無線リソース制御（ＲＲＣ）メッセージ、無線リンク制御（ＲＬＣ）メッセージ、およびパケットデータ圧縮プロトコル（ＰＤＣＰ）ステータスメッセージのうちの少なくとも１つを備える、Ｃ４に記載の方法。
[Ｃ６]  前記第１のＲＡＴを使用して前記第１の通信リンクを介して前記ＵＥから前記第１のデータフローに関するフィードバック情報を受信すること、
前記第２のＲＡＴを使用して前記第２の通信リンクを介して前記ＵＥから前記第１のデータフローに関する前記フィードバック情報を受信すること、
前記第２のＲＡＴから前記第１のデータフローに関する前記フィードバック情報を受信することをさらに備える、Ｃ１に記載の方法。
[Ｃ７]  前記フィードバック情報が、ＵＥ測定値と第２のＲＡＴ測定値とを含む少なくとも１つのフィードバックメッセージを備える、Ｃ６に記載の方法。
[Ｃ８]  前記第１のデータフローの前記第１および第２の断片量が、ベアラ間の比例公平性を使用し得る、システム利用量の最適化に基づいている、Ｃ１に記載の方法。
[Ｃ９]  前記第１のＲＡＴを使用して前記第１の通信リンクを介して前記ＵＥによって送信されるべき前記第２のデータフローの第３の断片量を決定することと、
前記第２のＲＡＴを使用して前記第２の通信リンクを介して前記ＵＥによって送信されるべき前記第２のデータフローの第４の断片量を決定することと、
前記第１の通信リンクを介して前記ＵＥから前記第２のデータフローの前記第３の断片量を受信することとをさらに備える、Ｃ１に記載の方法。
[Ｃ１０]  前記第１のデータフローがダウンリンクトラフィックを備え、前記第２のデータフローがアップリンクトラフィックを備える、Ｃ９に記載の方法。
[Ｃ１１]  チャネル品質がしきい値未満であるかどうかを決定することと、
前記チャネル品質が前記しきい値未満であるとき、前記決定された第１、第２、第３、および第４の断片量を更新することとをさらに備える、Ｃ９に記載の方法。
[Ｃ１２]  前記第１のデータフローの前記第１および第２の断片量の前記決定を周期的に評価することをさらに備える、Ｃ１に記載の方法。
[Ｃ１３]  前記第２のデータフローの前記第３および第４の断片量の前記決定を周期的に評価することをさらに備える、Ｃ９に記載の方法。
[Ｃ１４]  前記第１のデータフローの前記第１および第２の断片量と前記第２のデータフローの前記第３および第４の断片量との前記決定を評価することは、
前記第１および第２の両通信リンク上でサービスされるベアラに関して前記第１のＲＡＴと前記第２のＲＡＴとの間の有効データレートおよびレイテンシの差を最適化すること、
禁止タイマーが動作しているとき、前記第１のデータフローの前記決定された第１および第２の断片量、または前記第２のデータフローの前記決定された第３および第４の断片量の適用を回避すること、または
データフローに関する断片的割振り変更の数がある時間内にしきい値を超えるとき、前記第１のデータフローの前記決定された第１および第２の断片量の適用を回避し、前記第２のデータフローの前記決定された第３および第４の断片量の適用を回避することのうちの少なくとも１つを備える、Ｃ１２に記載の方法。
[Ｃ１５]  前記ＵＥにメッセージを送信することをさらに備える方法であって、ここにおいて、前記メッセージが、前記第１のＲＡＴを使用して前記第１の通信リンクを介して前記第２のデータフローの前記第３の断片量を送信し、前記第２のＲＡＴを使用して前記第２の通信リンクを介して前記第２のデータフローの前記第４の断片量を送信するように前記ＵＥを構成する、Ｃ９に記載の方法。
[Ｃ１６]  前記第１および第２の通信リンクのために維持されるトークンバケット機構に基づいて、または分割確率に基づいて、前記第１のデータフローの前記決定された第１および第２の断片量と、前記第２のデータフローの前記決定された第３および第４の断片量とを実装することをさらに備える、Ｃ１に記載の方法。
[Ｃ１７]  前記第１のデータフローの前記第１の断片量を決定すること、または前記第１のデータフローの前記第２の断片量を決定することは、前記ＵＥからの報告に少なくとも部分的に基づいている、Ｃ１に記載の方法。
[Ｃ１８]  前記第１のデータフローの前記第１の断片量を決定すること、または前記第１のデータフローの前記第２の断片量を決定することは、ある時間期間の間、または前記ＵＥからの報告の受信に少なくとも部分的に基づいて動的に実行される、Ｃ１に記載の方法。
[Ｃ１９]  前記第２の通信リンクのチャネル品質がしきい値未満であるとき、または前記第２の通信リンクのために最低の変調／コーディング方式（ＭＣＳ）を選択することができないとき、前記第１のデータフローの前記第１の断片量の前記決定は１であり、前記第１のデータフローの前記第２の断片量の前記決定は０である、Ｃ１に記載の方法。
[Ｃ２０]  ワイヤレス通信のための装置であって、
第１の無線アクセス技術（ＲＡＴ）を使用して第１の通信リンクを介してユーザ機器（ＵＥ）にサービスされるべき第１のデータフローの第１の断片量を決定するための手段と、
第２のＲＡＴを使用して第２の通信リンクを介して前記ＵＥにサービスされるべき前記第１のデータフローの第２の断片量を決定するための手段と、
前記第１の通信リンクを使用して前記ＵＥに前記第１のデータフローの前記第１の断片量をサービスするための手段とを備える、装置。
[Ｃ２１]  前記第１のデータフローの前記第１の断片量または前記第１のデータフローの前記第２の断片量のうちの少なくとも１つが、
構成、または
データフローの通信リンクへの割当て、
前記第１のＲＡＴおよび前記第２のＲＡＴの各々のチャネル状態、
前記第１のＲＡＴおよび前記第２のＲＡＴの各々のトラフィック状態、
前記第１のＲＡＴおよび前記第２のＲＡＴのリソース、
前記第１の通信リンクおよび前記第２の通信リンクのチャネル負荷、もしくは
前記第１の通信リンク上のデータレートおよびレイテンシと前記第２の通信リンク上のデータレートおよびレイテンシとの間の差
のうちの少なくとも１つに基づいた最適化関数に基づいて決定される、Ｃ２０に記載の装置。
[Ｃ２２]  前記第１のＲＡＴを使用して前記第１の通信リンクを介して前記ＵＥとの間で前記第１のデータフローに関する制御情報を送信および受信するための手段、または
前記第２のＲＡＴを使用して前記第２の通信リンクを介して前記ＵＥとの間で前記第１のデータフローに関する前記制御情報を送信および受信するための手段をさらに備える、Ｃ２０に記載の装置。
[Ｃ２３]  前記第１のＲＡＴを使用して前記第１の通信リンクを介して前記ＵＥから前記第１のデータフローに関するフィードバック情報を受信するための手段、
前記第２のＲＡＴを使用して前記第２の通信リンクを介して前記ＵＥから前記第１のデータフローに関するフィードバック情報を受信するための手段、または
前記第２のＲＡＴから前記第１のデータフローに関する前記フィードバック情報を受信するための手段をさらに備える、Ｃ２０に記載の装置。
[Ｃ２４]  前記第１のＲＡＴを使用して前記第１の通信リンクを介して前記ＵＥによって送信されるべき前記第２のデータフローの第３の断片量を決定するための手段と、
前記第２のＲＡＴを使用して前記第２の通信リンクを介して前記ＵＥによって送信されるべき前記第２のデータフローの第４の断片量を決定するための手段と、
前記第１の通信リンクを介して前記ＵＥから前記第２のデータフローの前記第３の断片量を受信するための手段とをさらに備える、Ｃ２０に記載の装置。
[Ｃ２５]  チャネル品質がしきい値未満であるかどうかを決定するための手段と、
前記チャネル品質が前記しきい値未満であるとき、前記決定された第１、第２、第３、および第４の断片量を更新するための手段とをさらに備える、Ｃ２４に記載の装置。
[Ｃ２６]  前記第１のデータフローの前記第１および第２の断片量の前記決定を周期的に評価するための手段をさらに備える、Ｃ２０に記載の装置。
[Ｃ２７]  前記ＵＥにメッセージを送信するための手段をさらに備える装置であって、ここにおいて、前記メッセージが、前記第１のＲＡＴを使用して前記第１の通信リンクを介して前記第２のデータフローの前記第３の断片量を送信し、前記第２のＲＡＴを使用して前記第２の通信リンクを介して前記第２のデータフローの前記第４の断片量を送信するように前記ＵＥを構成する、Ｃ２４に記載の装置。
[Ｃ２８]  前記第１および第２の通信リンクのために維持されるトークンバケット機構に基づいて、または分割確率に基づいて、前記第１のデータフローの前記決定された第１および第２の断片量と、前記第２のデータフローの前記決定された第３および第４の断片量とを実装するための手段をさらに備える、Ｃ２０に記載の装置。
[Ｃ２９]  ワイヤレス通信のための装置であって、
メモリと、
第１の無線アクセス技術（ＲＡＴ）を使用して第１の通信リンクを介してユーザ機器（ＵＥ）にサービスされるべき第１のデータフローの第１の断片量を決定することと、
第２のＲＡＴを使用して第２の通信リンクを介して前記ＵＥにサービスされるべき前記第１のデータフローの第２の断片量を決定することと、
前記第１の通信リンクを使用して前記ＵＥに前記第１のデータフローの前記第１の断片量をサービスすることと
を行うように構成される、前記メモリに結合された少なくとも１つのプロセッサとを備える、装置。
[Ｃ３０]  第１の無線アクセス技術（ＲＡＴ）を使用して第１の通信リンクを介してユーザ機器（ＵＥ）にサービスされるべき第１のデータフローの第１の断片量を決定することと、
第２のＲＡＴを使用して第２の通信リンクを介して前記ＵＥにサービスされるべき前記第１のデータフローの第２の断片量を決定することと、
前記第１の通信リンクを使用して前記ＵＥに前記第１のデータフローの前記第１の断片量をサービスすることと
を行うためのコードを備える、コンピュータ可読媒体を備える、コンピュータプログラム製品。
【図１】
0006483151.tif 000005
【図２】
0006483151.tif 000006
【図３】
0006483151.tif 000007
【図４】
0006483151.tif 000008
【図５】
0006483151.tif 000009
【図６】
0006483151.tif 000010
【図７Ａ】
0006483151.tif 000011
【図７Ｂ】
0006483151.tif 000012
【図８】
0006483151.tif 000013
【図９】
0006483151.tif 000014
【図１０Ａ】
0006483151.tif 000015
【図１０Ｂ】
0006483151.tif 000016
【図１１】
0006483151.tif 000017
【図１２】
0006483151.tif 000018